(57)【特許請求の範囲】
【請求項１】
第１のプレコーディング行列インデックスＷ１と、第２のプレコーディング行列インデックスＷ２と、ランクインデックスＲＩとを、基地局にフィードバックするユーザ端末であって、
前記ユーザ端末は、前記ランクインデックスＲＩ、および、前記第１のプレコーディング行列インデックスＷ１のジョイントコーディングの値を用いてフィードバック情報を生成し、
前記第１のプレコーディング行列インデックスＷ１、および、前記第２のプレコーディング行列インデックスＷ２は、プレコーディング行列を決定し、
前記ジョイントコーディングの値の半数は、１または２を示すランクインデックスＲＩ、および、前記第１のプレコーディング行列インデックスＷ１を示し、
前記ジョイントコーディングの値のうち、前記１または２を示すランクインデックスＲＩに用いられる値以外の値の一部は、２を超える値を示すランクインデックスＲＩ、および、前記第１のプレコーディング行列インデックスＷ１を示すことを特徴とするユーザ端末。
【請求項２】
前記第１のプレコーディング行列インデックスＷ１は、所定のコードブックからダウンサンプリングされることを特徴とする請求項１に記載のユーザ端末。
【請求項３】
前記第１のプレコーディング行列インデックスＷ１は、広帯域チャネル特性を示し、
前記第２のプレコーディング行列インデックスＷ２は、狭帯域チャネル特性を示すことを特徴とする請求項１または２に記載のユーザ端末。
【請求項４】
前記第１のプレコーディング行列インデックスＷ１は、長区間チャネル特性を示し、
前記第２のプレコーディング行列インデックスＷ２は、短区間チャネル特性を示すことを特徴とする請求項１または２に記載のユーザ端末。
【請求項５】
前記１または２を示すランクインデックスＲＩの場合に取りうる前記第１のプレコーディング行列インデックスＷ１の数は、前記２を超える値を示すランクインデックスＲＩの場合に取りうる前記第１のプレコーディング行列インデックスＷ１の数よりも多いことを特徴とする請求項１に記載のユーザ端末。
【請求項６】
第１のプレコーディング行列インデックスＷ１と、第２のプレコーディング行列インデックスＷ２と、ランクインデックスＲＩとを、フィードバックするユーザ端末と通信する基地局であって、
前記基地局は、前記ユーザ端末から前記ランクインデックスＲＩ、および、前記第１のプレコーディング行列インデックスＷ１のジョイントコーディングの値を用いて生成されたフィードバック情報を受信し、
前記第１のプレコーディング行列インデックスＷ１、および、前記第２のプレコーディング行列インデックスＷ２は、プレコーディング行列を決定し、
前記ジョイントコーディングの値の半数は、１または２を示すランクインデックスＲＩ、および、前記第１のプレコーディング行列インデックスＷ１を示し、
前記ジョイントコーディングの値のうち、前記１または２を示すランクインデックスＲＩに用いられる値以外の値の一部は、２を超える値を示すランクインデックスＲＩ、および、前記第１のプレコーディング行列インデックスＷ１を示すことを特徴とする基地局。
【請求項７】
第１のプレコーディング行列インデックスＷ１と、第２のプレコーディング行列インデックスＷ２と、ランクインデックスＲＩとを、基地局にフィードバックするユーザ端末におけるジョイントコーディング方法あって、
前記ユーザ端末は、前記ランクインデックスＲＩ、および、前記第１のプレコーディング行列インデックスＷ１のジョイントコーディングの値を用いてフィードバック情報を生成するステップを有し、
前記第１のプレコーディング行列インデックスＷ１、および、前記第２のプレコーディング行列インデックスＷ２は、プレコーディング行列を決定し、
前記ジョイントコーディングの値の半数は、１または２を示すランクインデックスＲＩ、および、前記第１のプレコーディング行列インデックスＷ１を示し、
前記ジョイントコーディングの値のうち、前記１または２を示すランクインデックスＲＩに用いられる値以外の値の一部は、２を超える値を示すランクインデックスＲＩ、および、前記第１のプレコーディング行列インデックスＷ１を示すことを特徴とするジョイントコーディング方法。
【請求項８】
前記第１のプレコーディング行列インデックスＷ１は、所定のコードブックからダウンサンプリングされることを特徴とする請求項７に記載のジョイントコーディング方法。
【請求項９】
バイナリツリーに基づくジョイントコーディング方法であって、
ランクインデックス（ＲＩ）が２よりも大きいか否かを判断するステップと、
ＲＩが２以下であれば、コーディングバイナリツリーの第１のハーフブランチを使って、ＲＩが１の場合とＲＩが２の場合に、ＲＩと広帯域／長区間チャネル特性を示すＷ１とのジョイントコーディング状態を示すステップと、
ＲＩが２よりも大きければ、前記コーディングバイナリツリーの第２のハーフブランチを使って、ＲＩが２よりも大きい場合の残りの単独コーディング状態および／またはジョイントコーディング状態を示すステップと、
コーディングする前記ステップの処理結果を出力するステップと、を含むことを特徴とするジョイントコーディング方法。
【請求項１０】
前記コーディングバイナリツリーの第２のハーフブランチのすべてまたは一部を使って、ＲＩが２よりも大きい場合のＲＩの単独コーディング状態を示すことを特徴とする請求項９に記載のジョイントコーディング方法。
【請求項１１】
ＲＩとＷ１とをジョイントコーディングする前に、Ｗ１のコードブックおよび／または狭帯域／短区間チャネル特性を示すＷ２のコードブックに対してダウンサンプリングするステップをさらに含むことを特徴とする請求項９または１０に記載のジョイントコーディング方法。
【請求項１２】
第１のダウンサンプリングレートで、Ｗ１のコードブックに対してダウンサンプリングし、第２のダウンサンプリングレートで、Ｗ２のコードブックに対してダウンダンプリングすることを特徴とする請求項１１に記載のジョイントコーディング方法。
【請求項１３】
前記第１のダウンサンプリングレートは、前記第２のダウンサンプリングレートと等しい、または、
前記第１のダウンサンプリングレートは、前記第２のダウンサンプリングレートよりも大きい、または、
前記第１のダウンサンプリングレートは、前記第２のダウンサンプリングレートよりも小さいことを特徴とする請求項１２に記載のジョイントコーディング方法。
【請求項１４】
コードブック中のコードワードが示す物理量が、同じまたは類似する場合には、コードブックに対して均一的にダウンサンプリングすることを特徴とする請求項１１〜１３のいずれか１項に記載のジョイントコーディング方法。
【請求項１５】
等間隔なシリアル番号に対応するコードワードを、ダウンサンプリングされたコードブックとして選択することを特徴とする請求項１４に記載のジョイントコーディング方法。
【請求項１６】
バイナリツリーに基づくコーダであって、
ランクインデックス（ＲＩ）が２よりも大きいか否かを判断するＲＩ判断ユニットと、
前記ＲＩ判断ユニットの判断結果に基づいて、コーディングバイナリツリーの第１のハーフブランチを使って、ＲＩが１の場合とＲＩが２の場合に、ＲＩと広帯域／長区間チャネル特性を示すＷ１とのジョイントコーディング状態を示し、または、コーディングバイナリツリーの第２のハーフブランチを使って、ＲＩが２よりも大きい場合の残りの単独コーディング状態および／またはジョイントコーディング状態を示すとともに、コーディング処理結果を出力するコーディングユニットと、を含むことを特徴とするコーダ。
【発明の詳細な説明】
【技術分野】
【０００１】
本発明は、通信技術分野に係るものである。より具体的には、マルチアンテナマルチキャリア基地局（ＢＳ：base station）のセルにおいて、ユーザ装置（ＵＥ：user equipment）によって、ダウンリンクチャネル状態情報（ＣＳＩ：Channel State Information）について、バイナリツリー（binary tree）に基づくジョイントコーディングを行って、基地局にフィードバックする技術に関する。
【背景技術】
【０００２】
マルチアンテナ（ＭＩＭＯ：Multiple In Multiple Out）無線通信技術は、送信機と受信機との両方に複数本のアンテナを設置し、無線通信中の空間リソース（spatial resource）を利用することによって、空間多重化（spatial multiplex）の効果と空間多様化（spatial diversity）の効果を得ることができる。情報理論の研究では、MIMOシステムの容量は送信アンテナ本数、及び受信アンテナ本数の最小値の増加に伴い、線形的に増加することが示されている。
【０００３】
図１はＭＩＭＯシステムを示す概略図である。図１のように、送信機に設置された複数のアンテナと、各々の受信機に設置された複数のアンテナとからは、空間領域情報（spatial domain information）を含むマルチアンテナ無線チャネル（multi-antenna wireless channel）が構成される。さらに、直交周波数分割多重（ＯＦＤＭ：Orthogonal Frequency Division Multiplexing）技術は、強いフェージング防止（anti-fading）能力と、高い周波数利用率と、を有しており、従って、マルチパス（multi-path）環境とフェージング環境とにおける高速データ通信に適している。ＭＩＭＯとＯＦＤＭとを組み合わせたＭＩＭＯ−ＯＦＤＭ技術は、新世代の移動通信の中核的な技術となっている。
【０００４】
例えば、３ＧＰＰ（3rd Generation Partnership Project）組織は、３Ｇセルラー通信技術の標準化に重要な役割を演じている移動通信分野の国際組織である。２００４年の下半期以来、３ＧＰＰ組織は、ＥＵＴＲＡ（Evolved Universal Terrestrial Radio Access）とＥＵＴＲＡＮ（Evolved Universal Terrestrial Radio Access Network）とを設計するための、いわゆるＬＴＥ（Long Term Evolution）プロジェクトに着手している。ＭＩＭＯ−ＯＦＤＭ技術は、ＬＴＥシステムのダウンリンクに利用されている。２００８年４月中国深セン（Shenzhen）で開催された会議において、３ＧＰＰ組織は、４Ｇセルラー通信システム（現在ではＬＴＥ−Ａシステムと呼ばれる）の標準化について議論を開始した。ＭＩＭＯ−ＯＦＤＭ技術は、依然として、ＬＴＥ−Ａシステムの重要な空中インターフェース技術となっている。
【０００５】
ＬＴＥ−Ａシステムにおいて、キャリア集合（ＣＡ：Carrier Aggregation）は新しい概念である。図２は、ＣＡの概念を示す図である。具体的には、１つの基地局には、複数のダウンリンクキャリアおよび複数のアップリンクキャリアが設置され、複数のキャリアは、１つのキャリアに仮想的に結合され、該結合されたキャリアは、キャリア集合と称する。ＬＴＥ−Ａシステムは、連続するＣＡをサポートするとともに、帯域内（intra-band）または帯域間（inter-band）の非連続のＣＡをサポートする。ＬＴＥ−Ａシステムは、最大１００ＭＨｚの帯域幅まで結合することができる。なお、ＬＴＥ−Ａシステムの商業応用の初期に、効率よくキャリアを利用するためには、言い換えると、ＬＴＥユーザ装置（ＵＥ）がＬＴＥ−Ａシステムにアクセスできるようにするためには、各キャリアは、ＬＴＥシステムに対して下位互換性を保つように構成されなければならない。なお、ＬＴＥ−Ａシステムに利用されるキャリアを設計することも可能である。ＬＴＥ−Ａシステムの研究段階では、ＣＡに関する研究は、主に連続するＣＡのスペクトル利用率の向上、非対称的なアップリンク／ダウンリンクＣＡシナリオに対する制御チャネルの設計などに注目する。また、制御チャネルの設計は、ダウンリンクＣＳＩがＵＥからＢＳにフィードバックされることを含む。
【０００６】
ダウンリンクＣＳＩフィードバックに関して、ＬＴＥシステムには、２種類のフィードバックチャネル、すなわち、物理アップリンク制御チャネル（ＰＵＣＣＨ：Physical Uplink Control CHannel）および物理アップリンク共用チャネル（ＰＵＳＣＨ：Physical Uplink Shared CHannel）がある。一般的には、ＰＵＣＣＨは、同期、低負荷の基礎ＣＳＩの伝送に用いられ、ＰＵＳＣＨは、バースト的な、高負荷の拡張ＣＳＩの伝送に用いられる。ＰＵＣＣＨについては、１つの完全なＣＳＩは、複数の異なるフィードバックコンテンツからなり、当該異なるフィードバックコンテンツは、異なるサブフレームにて伝送される。一方、ＰＵＳＣＨについては、１つの完全なＣＳＩは、１つのサブフレームにて伝送される。このような設計方針は、ＬＥＴ−Ａシステムで援用されている。
【０００７】
上記フィードバックコンテンツは、チャネル品質インデックス（ＣＱＩ：Channel Quality Index）と、プレコーディング行列インデックス（ＰＭＩ：Pre-coding Matrix Index）と、ランクインデックス（ＲＩ：Rank Index）との、３つのカテゴリに分けられる。上記３つのカテゴリは、いずれもビット量子化フィードバックである。ＬＴＥ−Ａシステムにおいて、上記３つのカテゴリは、依然として、フィードバックの主な内容となる。また、プレコーディング行列については、現在の意見は、プレコーディング行列は２つのプレコーディング行列インデックス＃１および＃２（Ｗ１およびＷ２）によって共同で決定されている。なお、Ｗ１は、広帯域／長区間（broadband/long-term）チャネル特性を示し、Ｗ２は、狭帯域／短区間（sub-band/short-term）チャネル特性を示す。ＰＵＣＣＨによってＷ１およびＷ２を伝送する場合、Ｗ１およびＷ２を同一のサブフレームにおいて同時にフィードバックする必要がなく、また、Ｗ１またはＷ２は、フィードバックのときに省略される可能性がある。文献“３ＧＰＰ  Ｒ１−１０２５７９「リリース１０におけるフィードバックの見通し（Way forward on Rel.10 feedback）」”を参照されたい。
【０００８】
ＣＳＩフィードバックに対応するすべての周波数領域は、セットＳ（Set S）と称する。ＬＴＥシステムにおいて、シングルキャリアの場合のみが存在し、セットＳは、システムのキャリア帯域幅と等しくなるように定義されている。一方、ＬＴＥ−Ａシステムにおいて、加えてマルチキャリアの場合も存在するため、セットＳは、シングルキャリアの帯域幅と等しく、または、マルチキャリアの帯域幅の合計と等しくなるように定義される。
【０００９】
ＬＴＥシステムにおいて、以下のような８つのダウンリンクデータのＭＩＭＯ伝送方式が定義されている。
【００１０】
（１）シングルアンテナ伝送：シングルアンテナＢＳの信号伝送に用いられる。この方式は、ＭＩＭＯシステムの特殊例であり、該方式で一層のデータのみを伝送できる。
【００１１】
（２）伝送多様化：ＭＩＭＯシステムにおいて、時間および／または周波数の多様化効果を利用して信号を伝送することによって、信号の受信品質を向上させる。該方式では、一層のデータのみを伝送できる。
【００１２】
（３）開ループ空間分割多重化：ＵＥからのＰＭＩフィードバックを必要としない空間分割多重化方式である。
【００１３】
（４）閉ループ空間分割多重化：ＵＥからのＰＭＩフィードバックを必要とする空間分割多重化方式である。
【００１４】
（５）マルチユーザＭＩＭＯ：複数のＵＥは、同時にＭＩＭＯシステムのダウンリンク通信に参加する。
【００１５】
（６）閉ループ一層プレコーディング：ＭＩＭＯシステムを使って、一層のデータのみを伝送する。ＵＥからのＰＭＩフィードバックを必要とする。
【００１６】
（７）ビームフォーミング伝送：ビームフォーミング技術は、ＭＩＭＯシステムに適用される。専用参照信号がＵＥのデータ復調に用いられる。ＭＩＭＯシステムを使って、一層のデータのみを伝送する。ＵＥからのＰＭＩフィードバックを必要としない。
【００１７】
（８）２層ビームフォーミング伝送：ＵＥは、ＰＭＩおよびＲＩをフィードバックするように構成されてもよいし、ＰＭＩおよびＲＩをフィードバックしないように構成されてもよい。
【００１８】
ＬＴＥ−Ａシステムにおいて、上記の８つの伝送方式は援用され、および／または、削除され、および／または、新しい伝送方式、すなわち、動的ＭＩＭＯ切り替え方式が追加される。上記動的ＭＩＭＯ切り替え方式では、ＢＳは、ＵＥが稼動するＭＩＭＯモードを、動的に調整することができる。
【００１９】
上記ＭＩＭＯ伝送方式をサポートするために、ＬＴＥシステムでは、複数のＣＳＩフィードバックモードが定義されている。また、各ＭＩＭＯ伝送方式は、複数のＣＳＩフィードバックモードに対応する。詳細は、以下のとおりである。
【００２０】
ＰＵＣＣＨに対応するＣＳＩフィードバックモードは、４種類あり、それぞれは、モード１−０、モード１−１、モード２−０、モード２−１である。それらのモードは、以下のような４つのフィードバックタイプの組み合わせである。
【００２１】
（１）タイプ１：帯域の一部（ＢＰ：Band Part；セットＳのサブセットであり、そのサイズは、セットＳのサイズによって決定される）における好ましい狭帯域位置、および、上記狭帯域のＣＱＩ。狭帯域位置のオーバヘッドはＬビットであり、最初のコードワードのＣＱＩのオーバヘッドは４ビットであり、可能な２番目のコードワードのＣＱＩは、最初のコードワードのＣＱＩに対して、差分コーディングされ、そのオーバヘッドは３ビットである。
【００２２】
（２）タイプ２：広帯域ＣＱＩおよびＰＭＩ。最初のコードワードのＣＱＩのオーバヘッドは４ビットであり、可能な２番目のコードワードのＣＱＩは、最初のコードワードのＣＱＩに対して、差分コーディングされ、そのオーバヘッドは３ビットであり、ＰＭＩのオーバヘッドは、ＢＳのアンテナ配置によって、１、２、または、４ビットである。
【００２３】
（３）タイプ３：ＲＩ。ＢＳのアンテナ配置に基づいて、２つのアンテナの場合のＲＩのオーバヘッドは１ビットであり、４つのアンテナの場合のＲＩのオーバヘッドは２ビットである。
【００２４】
（４）タイプ４：広帯域ＣＱＩ。オーバヘッドはいつも４ビットである。
【００２５】
上記異なるタイプに応じて、ＵＥは、異なる情報をＢＳにフィードバックする。
【００２６】
モード１−０は、タイプ３とタイプ４との組み合わせである。すなわち、タイプ３およびタイプ４のフィードバックは、異なる周期および／または異なるサブフレームオフセットで行われる。モード１−０において、セットＳにおける最初のコードワードの広帯域ＣＱＩ、および、可能なＲＩ情報がフィードバックされる。
【００２７】
モード１−１は、タイプ３とタイプ２との組み合わせである。すなわち、タイプ３およびタイプ２のフィードバックは、異なる周期および／または異なるサブフレームオフセットで行われる。モード１−１において、セットＳにおける広帯域ＰＭＩ、各コードワードの広帯域ＣＱＩ、および、可能なＲＩ情報がフィードバックされる。
【００２８】
モード２−０は、タイプ３と、タイプ４と、タイプ１との組み合わせである。すなわち、タイプ３、タイプ４、および、タイプ１のフィードバックは、異なる周期および／または異なるサブフレームオフセットで行われる。モード２−０において、セットＳにおける最初のコードワードの広帯域ＣＱＩと、可能なＲＩ情報と、ＢＰにおける好ましい狭帯域位置および上記狭帯域のＣＱＩとがフィードバックされる。
【００２９】
モード２−１は、タイプ３と、タイプ２と、タイプ１との組み合わせである。すなわち、タイプ３、タイプ２、および、タイプ１のフィードバックは、異なる周期および／または異なるサブフレームオフセットで行われる。モード２−１において、セットＳにおける広帯域ＰＭＩと、各コードワードの広帯域ＣＱＩと、可能なＲＩ情報と、ＢＰにおける好ましい狭帯域位置および上記狭帯域のＣＱＩとがフィードバックされる。
【００３０】
ＭＩＭＯ伝送方式とＣＳＩフィードバックモードとの対応関係は、以下のとおりである。
ＭＩＭＯ伝送方式（１）：モード１−０、モード２−０
ＭＩＭＯ伝送方式（２）：モード１−０、モード２−０
ＭＩＭＯ伝送方式（３）：モード１−０、モード２−０
ＭＩＭＯ伝送方式（４）：モード１−１、モード２−１
ＭＩＭＯ伝送方式（５）：モード１−１、モード２−１
ＭＩＭＯ伝送方式（６）：モード１−１、モード２−１
ＭＩＭＯ伝送方式（７）：モード１−０、モード２−０
ＭＩＭＯ伝送方式（８）：モード１−１、モード２−１（ＵＥからのＰＭＩ／ＲＩフィードバックあり）；または、モード１−０、モード２−０（ＵＥからのＰＭＩ／ＲＩフィードバックなし）。
【００３１】
また、ＰＵＳＣＨにおけるＣＳＩフィードバックモードは、５種類がある。それぞれは、モード１−２、モード３−０、モード３−１、モード２−０、および、モード２−２である。
【００３２】
モード１−２において、セットＳにおける各狭帯域のＰＭＩと、セットＳにおける各狭帯域の広帯域ＣＱＩと、可能なＲＩ情報とがフィードバックされる。
【００３３】
モード３−０において、セットＳにおける各狭帯域の最初のコードワードのＣＱＩと、セットＳにおける最初のコードワードの広帯域ＣＱＩと、可能なＲＩ情報とがフィードバックされる。なお、フィードバックのオーバヘッドを削減するために、狭帯域ＣＱＩは、広帯域ＣＱＩに対して、差分コーディングされる。
【００３４】
モード３−１において、セットＳにおける各狭帯域の各コードワードのＣＱＩと、セットＳにおける各コードワードの広帯域ＣＱＩと、セットＳにおける広帯域ＰＭＩと、可能なＲＩ情報とがフィードバックされる。なお、フィードバックのオーバヘッドを削減するために、狭帯域ＣＱＩは、広帯域ＣＱＩに対して、差分コーディングされる。
【００３５】
モード２−０において、セットＳにおけるＭ個の好ましい狭帯域位置と、上記Ｍ個の狭帯域毎の最初のコードワードの広帯域ＣＱＩと、セットＳにおける最初のコードワードの広帯域ＣＱＩと、可能なＲＩ情報とがフィードバックされる。
【００３６】
モード２−２において、セットＳにおけるＭ個の好ましい狭帯域位置と、上記Ｍ個の狭帯域の広帯域ＰＭＩと、上記Ｍ個の狭帯域毎の各コードワードの広帯域ＣＱＩと、セットＳにおける広帯域ＰＭＩと、セットＳにおける各コードワードの広帯域ＣＱＩと、可能なＲＩ情報とがフィードバックされる。
【００３７】
ＭＩＭＯ伝送方式とＣＳＩフィードバックモードとの対応関係は、以下のとおりである。
ＭＩＭＯ伝送方式（１）：モード２−０、モード３−０
ＭＩＭＯ伝送方式（２）：モード２−０、モード３−０
ＭＩＭＯ伝送方式（３）：モード２−０、モード３−０
ＭＩＭＯ伝送方式（４）：モード１−２、モード２−２、モード３−１
ＭＩＭＯ伝送方式（５）：モード３−１
ＭＩＭＯ伝送方式（６）：モード１−２、モード２−２、モード３−１
ＭＩＭＯ伝送方式（７）：モード２−０、モード３−０
ＭＩＭＯ伝送方式（８）：モード１−２、モード２−２、モード３−１（ＵＥからのＰＭＩ／ＲＩフィードバックあり）；または、モード２−０、モード３−０（ＵＥからのＰＭＩ／ＲＩフィードバックなし）。
【００３８】
ＬＴＥ−ＡシステムにおけるＣＳＩフィードバックについて、現在、参照資料は少ない。それは、上記課題が標準化プロセスでまだ議論されていないからである。現在ある資料は、主にフィードバックの一般的な設計について示している。具体的には、以下のとおりである。
【００３９】
（１）ＣＳＩフィードバックの基本的な設計方針：周期的なフィードバックは最大５つのダウンリンクキャリアをサポートすることができる。リリース８に記載の技術と類似する設計方針が採用されることによって、１つのアップリンクキャリアへマッピングしてフィードバックする。また、フィードバックのオーバヘッドをどのように減少するか、および、フィードバックチャネルの負荷をどのように増加するかについては、考慮すべきことである。しかしながら、当該基本設計方針には、具体的な実現手段について、一切示されていない。よって、上記具体的な実現手段は、依然として埋めるべき技術の空白である。文献“３ＧＰＰ  ＲＡＮ１レポート「3GPP TSG RAN WG1#58bis会議の最終レポート（Final Report of 3GPP TSG RAN WG1#58bis v1.0.0）」”を参照されたい。
【００４０】
（２）Ｗ１（プレコーディング行列インデックス＃１）およびＷ２（プレコーディング行列インデックス＃２）の設計案：Ｗ１は、対角化ブロック形式を使い、対角化ブロックは、ＤＦＴ行列またはそのサブ行列である。Ｗ２は、加重結合効果を有するベクトル選択行列である。３ＧＰＰ文献“Ｒ１−１０５０１１、「リリース１０でのダウンリンクＭＩＭＯに係る８アンテナコードブックの見通し（Way Forward on 8Tx Codebook for Rel.10 DL MIMO）」、ＡＬＣＡＴＥＬ−ＬＵＣＥＮＴなど”を参照されたい。
【００４１】
（３）ＰＵＣＣＨにおけるＷ１およびＷ２の伝送方針：Ｗ１およびＷ２がそれぞれ異なるサブフレームで伝送される場合、Ｗ１とＲＩとは、同一のサブフレームで一緒に伝送され、ジョイントコーディングされる（Ｗ１およびＲＩの総フィードバックオーバヘッドは、５ビット以下である）。また、Ｗ１およびＷ２が同一のサブフレームで伝送される場合、Ｗ１およびＷ２の総フィードバックオーバヘッドを４ビット以下になるように、コードブックは、ダウンサンプリングされる。文献“３ＧＰＰ  Ｒ１−１０４２３４、「リリース１０でのダウンリンクＭＩＭＯに係るＣＳＩフィードバックの見通し（Way Forward on CSI Feedback for Rel.10 DL MIMO）」、Ｔｅｘａｓ  Ｉｎｓｔｒｕｍｅｎｔｓなど”を参照されたい。
【００４２】
Ｔｅｘａｓ  Ｉｎｓｔｒｕｍｅｎｔｓによって提案された方針（３）については、Ｗ１およびＲＩをどのようにジョイントコーディングするか、Ｗ１およびＷ２のコードブックをどのようにダウンサンプリングするか、および、異なるＭＩＭＯ伝送方式において、どのようにＲＩ、Ｗ１およびＷ２を処理およびフィードバックするかは、依然として解決すべき技術課題である。Ｔｅｘａｓ  Ｉｎｓｔｒｕｍｅｎｔｓは、ジョイントコーディングのビット数は、５ビット以下であること、および、ダウンサンプリングされた後のＷ１およびＷ２の総フィードバックオーバヘッドは４ビット以下であることしか提案しておらず、具体的な設計案の詳細が一切示されていない。
【発明の概要】
【発明が解決しようとする課題】
【００４３】
本発明は、従来技術におけるダウンリンクＣＳＩのフィードバックが不十分かつ操作性欠如という課題を解決するために、ダウンリンクＣＳＩに対して、バイナリツリーに基づく新規なジョイントコーディング方法を提供することを目的とする。
【課題を解決するための手段】
【００４４】
本発明の一形態によれば、バイナリツリーに基づく、ダウンリンクチャネル状態情報（ＣＳＩ）ジョイントコーディング方法が提供される。上記方法は、ランクインデックス（ＲＩ）が２よりも大きいか否かを判断するステップと、ＲＩが２以下であれば、コーディングバイナリツリーの第１のハーフブランチを使って、ＲＩが１の場合とＲＩが２の場合に、ＲＩとＷ１とのジョイントコーディング状態を示すステップと、ＲＩが２よりも大きければ、上記コーディングバイナリツリーの第２のハーフブランチを使って、ＲＩが２よりも大きい場合の残りの単独コーディング状態および／またはジョイントコーディング状態を示すステップと、コーディングする上記ステップの処理結果を出力するステップとを含むことを特徴としている。
【００４５】
また、好ましくは、上記コーディングバイナリツリーの第２のハーフブランチのすべてまたは一部を使って、ＲＩが２よりも大きい場合のＲＩの単独コーディング状態を示す。
【００４６】
また、好ましくは上記コーディングバイナリツリーの第２のハーフブランチの第１のハーフブランチのすべてを使って、ＲＩが３の場合と、ＲＩが４の場合に、ＲＩの単独コーディング状態を示す。
【００４７】
また、好ましくは、上記コーディングバイナリツリーの第２のハーフブランチのすべてまたは一部を使って、ＲＩが３の場合とＲＩが４の場合に、ＲＩとＷ１とのジョイントコーディング状態を示す。
【００４８】
また、好ましくは、上記コーディングバイナリツリーの第２のハーフブランチの第１のハーフブランチのすべてを使って、ＲＩが３の場合とＲＩが４の場合に、ＲＩとＷ１とのジョイントコーディング状態を示す。
【００４９】
また、好ましくは、上記コーディングバイナリツリーの第２のハーフブランチの第２のハーフブランチのすべてまたは一部を使って、ＲＩが４よりも大きい場合のＲＩの単独コーディング、および／または、ＲＩとＷ１とのジョイントコーディング状態を示す。
【００５０】
また、好ましくは、上記コーディングバイナリツリーの第２のハーフブランチのすべてを使って、ＲＩが３の場合とＲＩが４の場合に、ＲＩの単独コーディング状態を示す。
【００５１】
また、好ましくは、ＲＩとＷ１とをジョイントコーディングする前に、Ｗ１のコードブックおよび／またはＷ２のコードブックに対してダウンサンプリングするステップをさらに含む。さらに好ましくは、ＲＩが１であれば、Ｗ１およびＷ２のコードブックのいずれか１つのみに対してダウンサンプリングを行う。
【００５２】
また、好ましくは、第１のダウンサンプリングレートで、Ｗ１のコードブックに対してダウンサンプリングし、第２のダウンサンプリングレートで、Ｗ２のコードブックに対してダウンダンプリングする。さらに好ましくは、上記第１のダウンサンプリングレートは、上記第２のダウンサンプリングレートと等しい、または、上記第１のダウンサンプリングレートは、上記第２のダウンサンプリングレートよりも大きい、または、上記第１のダウンサンプリングレートは、第２のダウンサンプリングレートよりも小さい。
【００５３】
また、好ましくは、コードブック中のコードワードが示す物理量が、同じまたは類似する場合には、コードブックに対して均一的にダウンサンプリングする。さらに好ましくは、等間隔なシリアル番号に対応するコードワードを、ダウンサンプリングされたコードブックとして選択する。
【００５４】
また、好ましくは、コードブック中のコードワードが、形式および値によって分類される場合に、形式に対してのみダウンサンプリングを行い、可能な値をすべて保持する。さらに好ましくは、コードブック中のコードワードが、形式および値によって分類される場合に、値に対してのみダウンサンプリングを行い、可能な形式をすべて保持する。
【００５５】
また、好ましくは、コードブック中のコードワードが、形式および値によって分類される場合に、第３のダウンサンプリングレートで、形式に対してダウンサンプリングを行い、第４のダウンサンプリングレートで、値に対してダウンサンプリングを行う。さらに好ましくは、上記第３のダウンサンプリングレートは、上記第４のダウンサンプリングレートと等しい、または、上記第３のダウンサンプリングレートは、上記第４のダウンサンプリングレートよりも大きい、または、上記第３のダウンサンプリングレートは、上記第４のダウンサンプリングレートよりも小さい。
【００５６】
また、好ましくは、ＭＩＭＯ開ループ空間分割多重化について、ＲＩが５以下に限定される。
【００５７】
また、好ましくは、ＭＩＭＯ開ループ空間分割多重化について、ＲＩとＷ１とをジョイントコーディングする。
【００５８】
また、好ましくは、ＭＩＭＯ開ループ空間分割多重化について、ＲＩを単独コーディングする。
【００５９】
また、好ましくは、ＭＩＭＯ閉ループ一層プレコーディングについて、Ｗ１を単独コーディングする。
【００６０】
また、好ましくは、ＭＩＭＯ２層ビームフォーミング伝送について、ＲＩは３以下に限定される。
【００６１】
また、好ましくは、ＭＩＭＯ開ループ空間分割多重化について、ＲＩとＷ１とのジョイントコーディングのみをフィードバックし、Ｗ２をフィードバックしない。
【００６２】
また、好ましくは、ＭＩＭＯ開ループ空間分割多重化について、ＲＩの単独コーディングのみをフィードバックし、Ｗ１およびＷ２をフィードバックしない。
【００６３】
また、固定されたルール／パターンに従って、または、ランダムに、Ｗ２のコードブックからＷ２を選択することが好ましい。
【００６４】
また、固定されたルール／パターンに従って、または、ランダムに、Ｗ１のコードブックからＷ１を選択することが好ましい。
【００６５】
また、異なる時間領域リソースポイントおよび／または異なる周波数領域リソースポイントにおけるＷ２は、同じまたは異なることが好ましい。
【００６６】
また、異なる時間領域リソースポイントおよび／または異なる周波数領域リソースポイントにおけるＷ１および／またはＷ２は、同じまたは異なることが好ましい。
【００６７】
また、本発明の他の形態によれば、バイナリツリーに基づくコーダが提供される。上記コーダは、ランクインデックス（ＲＩ）が２よりも大きいか否かを判断するＲＩ判断ユニットと、上記ＲＩ判断ユニットの判断結果に基づいて、コーディングバイナリツリーの第１のハーフブランチを使って、ＲＩが１の場合とＲＩが２の場合に、ＲＩとＷ１とのジョイントコーディング状態を示し、または、コーディングバイナリツリーの第２のハーフブランチを使って、ＲＩが２よりも大きい場合の残りの単独コーディング状態および／またはジョイントコーディング状態を示すとともに、コーディング処理結果を出力するコーディングユニットとを含むことを特徴としている。
【発明の効果】
【００６８】
本発明は、等長コーディングまたは不等長コーディングに適用することができる。本発明は、実現されることが容易であり、シグナリングオーバヘッドが少ない、などの効果があり、ＬＴＥ−Ａ／４Ｇセルラー通信システムおよび将来の５Ｇセルラー通信システムに好適に利用することができる。
【図面の簡単な説明】
【００６９】
以下において、図面を参照して本発明の好ましい実施形態を説明することによって、本発明の上記およびその他の目的、特徴、効果が明確になるであろう。
【図１】ＭＩＭＯシステムを示す概略図である。
【図２】キャリア集合を示す図である。
【図３】マルチセルセルラー通信システムを示す図である。
【図４】本発明に係るＣＳＩフィードバック方法を示すフローチャートである。
【図５】本発明に係るバイナリツリーに基づくジョイントコーディング方法を示すフローチャートである。
【図６】本発明に係るバイナリツリーに基づくコーダを示す図である。
【図７】本発明に係るＲＩとＷ１とのジョイントコーディングの実施例１を示す図である。
【図８】本発明に係るＲＩとＷ１とのジョイントコーディングの実施例２を示す図である。
【図９】本発明に係るＲＩとＷ１とのジョイントコーディングの実施例３を示す図である。
【図１０】本発明に係るＲＩとＷ１とのジョイントコーディングの実施例４を示す図である。
【図１１】本発明に係るＲＩとＷ１とのジョイントコーディングの実施例５を示す図である。
【図１２】本発明に係るＲＩとＷ１とのジョイントコーディングの実施例６を示す図である。
【図１３】本発明に係るＲＩとＷ１とのジョイントコーディングの実施例７を示す図である。
【図１４】本発明に係るＲＩとＷ１とのジョイントコーディングの実施例８を示す図である。
【図１５】本発明に係るＲＩとＷ１とのジョイントコーディングの実施例９を示す図である。
【図１６】本発明に係るＲＩとＷ１とのジョイントコーディングの実施例１０を示す図である。
【発明を実施するための形態】
【００７０】
以下では、図面を参照して、本発明の好ましい実施形態について詳細に説明する。以下の説明において、本発明の思想を容易に理解させるために、本発明に対して重要ではない細部および機能を省略する。
【００７１】
本発明の実施ステップを明確にかつ詳細に説明するために、以下では、本発明の具体的な実施例を示す。以下の各実施例は、ＬＴＥ−Ａセルラー通信システムに適用することが可能。なお、本発明は、以下の実施形態に記載の応用事例に限定することなく、その他の通信システムにも適用できる。例えば、将来の５Ｇセルラー通信システムにも適用できる。
【００７２】
図３は、マルチセルセルラー通信システムを示す図である。セルラーシステムは、サービスカバレッジエリアを、複数の隣接する無線カバレッジエリア、すなわち、セルに分割する。図３に示すように、全体のサービスエリアは、セル１００、１０２、１０４からなり、各セルは、例示的に六角形で示されている。基地局（ＢＳ）２００、２０２、２０４は、それぞれセル１００、１０２、１０４に関連付けられている。当業者に知られているように、ＢＳ２００〜２０４のそれぞれは、少なくとも１つの送信機および１つの受信機を備える。なお、ＢＳは、一般的に、セル内のサービスノード（node）であり、リソーススケジューリング機能を持つ独立ＢＳであってもよいし、独立ＢＳに従属する送信ノードであってもよいし、中継ノード（通常、セルのカバレッジを拡大するために設置される）などであってもよい。図３に示すように、ＢＳ２００〜２０４のそれぞれは、例示的にセル１００〜１０４のうち、対応する１つの所定のエリアに設置され、全指向性（omni-directional）アンテナを備えている。しかしながら、セルラー通信システムにおけるセル配置については、ＢＳ２００〜２０４のそれぞれは、セル１００〜１０４のうち、対応する１つのエリアの一部（通常、扇形領域と呼ばれる）を指向的にカバーするために、指向性（directional）アンテナを備えてもよい。図３に示されているマルチセルセルラー通信システムは、例を示すことのみを目的とし、本発明に係るセルラーシステムの実施に、上記の具体的な条件に限定することはない。
【００７３】
図３に示されるように、上記ＢＳ２００〜２０４は、Ｘ２インターフェース３００、３０２、３０４を介して、相互に接続されている。ＬＴＥシステムにおいては、基地局と、無線ネットワーク制御ユニット（radio network control unit）と、コアネットワーク（core network）とを含む、３層ノードネットワーク構造は、２層ノードネットワーク構造に単純化される。上記２層ノードネットワーク構造では、無線ネットワーク制御ユニットの機能が基地局に設けられる。また、「Ｘ２」という有線インターフェースによって、基地局間の協調と通信が行われる。
【００７４】
図３において、上記ＢＳ２００〜２０４は、空中インターフェース（air interface）（Ａ１インターフェース）３１０、３１２、３１４を介して相互に接続されている。将来の通信システムにおいて、中継ノードの概念が導入されるかもしれない。中継ノードは無線インターフェースを介して互いに接続されており、基地局は特殊な中継ノードと考えることができる。従って、今後、「Ａ１」という無線インターフェースは、基地局間の協調と通信に用いることができる。
【００７５】
さらに、図３には、ＢＳ２００〜２０４の上位層エンティティ（upper layer entity）２２０が示されている。該上位層エンティティ２２０は、ゲートウェイ、または移動管理エンティティなどの別のネットワークエンティティである。該上位層エンティティ２２０は、Ｓ１インターフェース３２０、３２２、３２４をそれぞれ介して、ＢＳ２００〜２０４と接続されている。ＬＴＥシステムにおいて、「Ｓ１」という有線インターフェースによって、上位層エンティティと基地局との間の協調と通信が行われる。
【００７６】
図３に示すように、複数のユーザ装置（ＵＥ）４００〜４３０が、セル１００〜１０４上に分布している。当業者に知られているように、ＵＥ４００〜４３０のそれぞれは、送信機と受信機と移動端末制御ユニット（mobile terminal control unit）とを備えている。ＵＥ４００〜４３０は、それぞれのサービングＢＳ（ＢＳ２００〜２０４のうちの１つ）を介して、セルラー通信システムにアクセスすることができる。なお、図３では１６個のＵＥのみが例示されているが、実際には大量のＵＥが存在していると理解されるべきである。この意味で、図３におけるＵＥの説明も例示のみを目的としているものである。ＵＥ４００〜４３０は、それぞれのサービングＢＳを介して、セルラー通信システムにアクセスすることができる。通信サービスをあるＵＥに直接提供するＢＳは、該ＵＥのサービングＢＳと呼ばれ、残りのほかのＢＳは該ＵＥの非サービングＢＳと呼ばれる。上記非サービングＢＳは、上記サービングＢＳの協調ＢＳとして機能し、上記サービングＢＳとともにＵＥに通信サービスを提供することができる。
【００７７】
本実施形態を説明するため、２本の受信アンテナを備えるＵＥ４１６を例として説明する。ＵＥ４１６は、ＢＳ２０２をそのサービングＢＳとし、ＢＳ２００、２０４をその非サービングＢＳとする。本実施形態はＵＥ４１６に着目するが、本発明は１つのＵＥの場合のみに適用するという意味ではない。それどころか、本発明は複数のＵＥの場合に十分に適用することができる。例えば、本発明の方法は図３に示されたＵＥ４０８、４１０、４３０などにも適用することができる。
【００７８】
また、３ＧＰＰ文献ＴＲ３６．２１３  Ｖ９．１．０「物理層プロシージャ（Physical layer procedures）」によれば、２０MHzの帯域幅を持つダウンリンクＬＴＥシステムは、制御シグナリング領域（control signaling area）を含めて、周波数領域内におよそ９６のスペクトルリソースブロックを有している。各スペクトルリソースブロックは、１２のサブキャリアおよび１４のＯＦＤＭシンボルからなる。定義によると、それらのスペクトルリソースブロックは、周波数の小さい順にソートされる。連続する８つのスペクトルリソースブロックのそれぞれを、狭帯域と称する。よって、合計で約１２の狭帯域がある。なお、狭帯域は、標準化プロトコルに基づいて定義されており、本発明の実施形態を容易に説明するために例示したものである。本発明の応用は、上記の定義に限定されず、その他の定義の場合にも適用できる。当業者は、本発明の実施形態を読むことによって、本発明が示した解決策は、通常の狭帯域の定義に適用できることを理解できる。
【００７９】
図４は、本発明に係るＣＳＩフィードバック方法を示すフローチャートである。
【００８０】
図４に示すように、本発明に係るＣＳＩフィードバック方法は、以下のステップを含む。ステップＳ４００では、ＢＳが配置するダウンリンク伝送方式、フィードバックモード、および、フィードバックリソースを受信する。ステップＳ４１０では、上記ダウンリンク伝送方式および上記フィードバックモードに応じて、ＲＩおよびＷ１に対してコーディングする。ステップＳ４２０では、ダウンリンクチャネルのジョイントコーディングされたＣＳＩをＢＳにフィードバックする。
【００８１】
図５は、本発明に係るバイナリツリーに基づくジョイントコーディング方法を示すフローチャートである。
【００８２】
図５に示すように、本発明に係るバイナリツリーに基づくジョイントコーディング方法は、以下のステップを含む。ステップＳ５００では、ＲＩが２よりも大きいか否かを判断する。ＲＩ≦２であれば（ステップＳ５００において、“Ｎｏ”）、ステップＳ５１０において、コーディングバイナリツリーの第１のハーフブランチ（branch）を使って、ＲＩ＝１の場合とＲＩ＝２の場合に、ＲＩとＷ１とのジョイントコーディング状態を示す。一方、ＲＩ＞２であれば（ステップＳ５００において、“Ｙｅｓ”）、ステップＳ５２０において、コーディングバイナリツリーの第２のハーフブランチを使って、ＲＩ＞２の場合の残りの単独コーディングおよび／またはジョイントコーディング状態を示す。ステップＳ５３０では、ステップＳ５１０またはＳ５２０の処理結果を出力する。
【００８３】
図６は、本発明に係るバイナリツリーに基づくコーダを示す図である。
【００８４】
図６に示すように、本発明に係るバイナリツリーに基づくコーダ６００は、ＲＩが２よりも大きいか否かを判断するランクインデックスＲＩ判断ユニット６１０と、ランクインデックスＲＩ判断ユニットの判断結果に基づいて、コーディングバイナリツリーの第１のハーフブランチを使って、ＲＩ＝１の場合とＲＩ＝２の場合に、ＲＩとＷ１とのジョイントコーディング状態を示し、または、コーディングバイナリツリーの第２のハーフブランチを使って、ＲＩ＞２の場合の残りの単独コーディングおよび／またはジョイントコーディング状態を示し、コーディング処理の結果を出力する、コーディングユニット６２０とを備えている。
【００８５】
以下の内容では、当業者がより容易に本発明を理解できるように、バイナリツリーに基づくジョイントコーディング方法およびコーダについて、１０の具体的な実施例に基づいて説明する。
【００８６】
実施例１：コーディングバイナリツリーの左のハーフブランチまたは右のハーフブランチ（ａ）は、ＲＩ＝１の場合とＲＩ＝２の場合に、ＲＩとＷ１とのジョイントコーディング状態を示す。また、残りのハーフブランチ（ｂ）の全てのリーフ（leave）は、ＲＩ＞２の場合のＲＩ単独コーディング状態を示す。一部のリーフは保留しておいて他の用途に使ってもよい。図７は、本実施例を示す図である。コーディングバイナリツリーの左のハーフブランチ（状態００ｘｘｘ、状態０１ｘｘｘ）は、ＲＩ＝１の場合とＲＩ＝２の場合に、ＲＩとＷ１とのジョイントコーディング状態を示す。ここで、Ｗ１は３ビットでコーディングされているものとする。そして、右のハーフブランチ（状態１０００、状態１００１、状態１０１０、状態１０１１、状態１１００、状態１１０１、状態１１１０、状態１１１１）は、ＲＩ＞２の場合のＲＩ単独コーディング状態を示し、上記状態のうち、状態１１１０および状態１１１１は、保留されているリーフである。
【００８７】
本実施例では、不等長コーディング（unequal-length coding）（コード長は５ビットまたは４ビット）が使われる。しかしながら、本発明は、それに限定されず、等長コーディング（equal-length coding）（コード長は５ビット）を使ってもよい。その場合には、右のハーフブランチの最後の１ビットは、その他の情報を示すために使われてもよい。
【００８８】
実施例２：コーディングバイナリツリーの左のハーフブランチまたは右のハーフブランチ（ａ）は、ＲＩ＝１の場合とＲＩ＝２の場合に、ＲＩとＷ１とのジョイントコーディング状態を示す。また、残りのハーフブランチ（ｂ）の左のハーフブランチまたは右のハーフブランチ（ｂ１）は、ＲＩ＝３の場合とＲＩ＝４の場合に、ＲＩ単独コーディング状態を示す。また、ハーフブランチ（ｂ）の残りのハーフブランチ（ｂ２）は、ＲＩ＞４の場合のＲＩ単独コーディング状態を示す。図８は、本実施例を示す図である。コーディングバイナリツリーの左のハーフブランチ（状態００ｘｘｘ、状態０１ｘｘｘ）は、ＲＩ＝１の場合とＲＩ＝２の場合に、ＲＩとＷ１とのジョイントコーディング状態を示す。ここで、Ｗ１は３ビットでコーディングされているものとする。そして、右のハーフブランチの左のハーフブランチ（状態１００、状態１０１）は、ＲＩ＝３の場合とＲＩ＝４の場合に、ＲＩ単独コーディング状態を示す。また、右のハーフブランチの右のハーフブランチ（状態１１００、状態１１０１、状態１１１０、状態１１１１）は、ＲＩ＞４の場合のＲＩ単独コーディング状態を示す。
【００８９】
本実施例では、不等長コーディング（コード長は５ビット、３ビット、または４ビット）が使われる。しかしながら、本発明は、それに限定されず、等長コーディング（コード長は５ビット）を使ってもよい。その場合には、右のハーフブランチの左のハーフブランチの最後の２ビット、および、右のハーフブランチの右のハーフブランチの最後の１ビットは、その他の情報を示すために使われてもよい。
【００９０】
実施例３：コーディングバイナリツリーの左のハーフブランチまたは右のハーフブランチ（ａ）は、ＲＩ＝１の場合とＲＩ＝２の場合に、ＲＩとＷ１とのジョイントコーディング状態を示す。また、残りのハーフブランチ（ｂ）の左のハーフブランチまたは右のハーフブランチ（ｂ１）は、ＲＩ＝３の場合とＲＩ＝４の場合に、ＲＩとＷ１とのジョイントコーディング状態を示す。また、ハーフブランチ（ｂ）の残りのハーフブランチ（ｂ２）は、ＲＩ＞４の場合のＲＩ単独コーディング状態を示す。一部のリーフは保留して他の用途に使ってもよい。図９は、本実施例を示す図である。コーディングバイナリツリーの左のハーフブランチ（状態００ｘｘｘ、状態０１ｘｘｘ）は、ＲＩ＝１の場合とＲＩ＝２の場合に、ＲＩとＷ１とのジョイントコーディング状態を示す。ここで、Ｗ１は３ビットでコーディングされているものとする。そして、右のハーフブランチの左のハーフブランチ（状態１００ｘｘ、状態１０１ｘｘ）は、ＲＩ＝３の場合とＲＩ＝４の場合に、ＲＩとＷ１とのジョイントコーディング状態を示す。ここで、Ｗ１は２ビットでコーディングされているものとする。また、右のハーフブランチの右のハーフブランチは、ＲＩ＞４の場合のＲＩ単独コーディング状態を示す。ここで、状態１１１００、状態１１１０１、状態１１１１０、および、状態１１１１１は、保留して他の用途に使うリーフである。
【００９１】
実施例４：コーディングバイナリツリーの左のハーフブランチまたは右のハーフブランチ（ａ）は、ＲＩ＝１の場合とＲＩ＝２の場合に、ＲＩとＷ１とのジョイントコーディング状態を示す。また、残りのハーフブランチ（ｂ）の左のハーフブランチまたは右のハーフブランチ（ｂ１）は、ＲＩ＝３の場合とＲＩ＝４の場合に、ＲＩとＷ１とのジョイントコーディング状態を示す。また、ハーフブランチ（ｂ）の残りのハーフブランチ（ｂ２）は、ＲＩ＞４の場合のＲＩ単独コーディング、および／または、ＲＩとＷ１とのジョイントコーディング状態を示す。一部のリーフは保留して他の用途に使ってもよい。図１０は、本実施例を示す図である。コーディングバイナリツリーの左のハーフブランチ（状態００ｘｘｘｘ、状態０１ｘｘｘｘ）は、ＲＩ＝１の場合とＲＩ＝２の場合に、ＲＩとＷ１とのジョイントコーディング状態を示す。ここで、Ｗ１は４ビットでコーディングされているものとする。そして、右のハーフブランチの左のハーフブランチ（状態１００ｘｘ、状態１０１ｘｘ）は、ＲＩ＝３の場合とＲＩ＝４の場合に、ＲＩとＷ１とのジョイントコーディング状態を示す。ここで、Ｗ１は２ビットでコーディングされているものとする。また、右のハーフブランチの右のハーフブランチは、ＲＩ＞４の場合のＲＩ単独コーディング、または、ＲＩとＷ１とのジョイントコーディング状態を示す。右のハーフブランチの右のハーフブランチの左のハーフブランチ（状態１１００ｘｘ、状態１１０１ｘｘ）は、ＲＩ＝５の場合とＲＩ＝６の場合に、ＲＩとＷ１とのジョイントコーディング状態を示す。ここで、Ｗ１は２ビットでコーディングされているものとする。また、右のハーフブランチの右のハーフブランチの右のハーフブランチにおいて、状態１１１０ｘｘはＲＩ＝７の場合のＲＩとＷ１とのジョイントコーディング状態を示す。ここで、Ｗ１は２ビットでコーディングされているものとする。また、状態１１１１００はＲＩ＝８の場合のＲＩ単独コーディング状態を示す。その他の状態１１１１０１、状態１１１１１０、および、状態１１１１１１は、保留して他の用途に使うリーフである。
【００９２】
本実施例では、不等長コーディング（コード長は６ビット、または５ビット）が使われる。しかしながら、本発明は、それに限定されず、等長コーディング（コード長は６ビット）を使ってもよい。その場合には、余った状態は、その他の情報を示すために使われてもよい。
【００９３】
実施例５：コーディングバイナリツリーの左のハーフブランチまたは右のハーフブランチ（ａ）は、ＲＩ＝１の場合とＲＩ＝２の場合に、ＲＩとＷ１とのジョイントコーディング状態を示す。また、残りのハーフブランチ（ｂ）の左のハーフブランチまたは右のハーフブランチ（ｂ１）は、ＲＩ＝３の場合とＲＩ＝４の場合に、ＲＩとＷ１とのジョイントコーディング状態を示す。また、ハーフブランチ（ｂ）の残りのハーフブランチ（ｂ２）は、ＲＩ＞４の場合のＲＩ単独コーディング状態を示す。図１１は、本実施例を示す図である。コーディングバイナリツリーの左のハーフブランチ（状態００ｘｘｘ、状態０１ｘｘｘ）は、ＲＩ＝１の場合とＲＩ＝２の場合に、ＲＩとＷ１とのジョイントコーディング状態を示す。ここで、Ｗ１は３ビットでコーディングされているものとする。そして、右のハーフブランチの左のハーフブランチ（状態１００ｘｘ、状態１０１ｘｘ）は、ＲＩ＝３の場合とＲＩ＝４の場合に、ＲＩとＷ１とのジョイントコーディング状態を示す。ここで、Ｗ１は２ビットでコーディングされているものとする。また、右のハーフブランチの右のハーフブランチ（状態１１００、状態１１０１、状態１１１０、状態１１１１）は、ＲＩ＞４の場合のＲＩ単独コーディング状態を示す。
【００９４】
本実施例では、不等長コーディング（コード長は５ビット、または４ビット）が使われる。しかしながら、本発明は、それに限定されず、等長コーディング（コード長は５ビット）を使ってもよい。その場合には、右のハーフブランチの右のハーフブランチの最後の１ビットは、その他の情報を示すために使われてもよい。
【００９５】
実施例６：コーディングバイナリツリーの左のハーフブランチまたは右のハーフブランチ（ａ）は、ＲＩ＝１の場合とＲＩ＝２の場合に、ＲＩとＷ１とのジョイントコーディング状態を示す。また、残りのハーフブランチ（ｂ）の左のハーフブランチまたは右のハーフブランチ（ｂ１）は、ＲＩ＝３の場合とＲＩ＝４の場合に、ＲＩとＷ１とのジョイントコーディング状態を示す。また、ハーフブランチ（ｂ）の残りのハーフブランチ（ｂ２）は、ＲＩ＞４の場合のＲＩ単独コーディング、および／または、ＲＩとＷ１とのジョイントコーディング状態を示す。図１２は、本実施例を示す図である。コーディングバイナリツリーの左のハーフブランチ（状態００ｘｘｘｘ、状態０１ｘｘｘｘ）は、ＲＩ＝１の場合とＲＩ＝２の場合に、ＲＩとＷ１とのジョイントコーディング状態を示す。ここで、Ｗ１は４ビットでコーディングされているものとする。そして、右のハーフブランチの左のハーフブランチ（状態１００ｘｘ、状態１０１ｘｘ）は、ＲＩ＝３の場合とＲＩ＝４の場合に、ＲＩとＷ１とのジョイントコーディング状態を示す。ここで、Ｗ１は２ビットでコーディングされているものとする。また、右のハーフブランチの右のハーフブランチは、ＲＩ＞４の場合のＲＩ単独コーディング、または、ＲＩとＷ１とのジョイントコーディング状態を示す。右のハーフブランチの右のハーフブランチの左のハーフブランチ（状態１１００ｘｘ、状態１１０１ｘｘ）は、ＲＩ＝５の場合とＲＩ＝６の場合に、ＲＩとＷ１とのジョイントコーディング状態を示す。ここで、Ｗ１は２ビットでコーディングされているものとする。また、右のハーフブランチの右のハーフブランチの右のハーフブランチにおいて、状態１１１０ｘｘはＲＩ＝７の場合のＲＩとＷ１とのジョイントコーディング状態を示す。ここで、Ｗ１は２ビットでコーディングされているものとする。また、状態１１１１はＲＩ＝８の場合のＲＩ単独コーディング状態を示す。
【００９６】
本実施例では、不等長コーディング（コード長は６ビット、５ビット、または４ビット）が使われる。しかしながら、本発明は、それに限定されず、等長コーディング（コード長は６ビット）を使ってもよい。その場合には、余った状態は、その他の情報を示すために使われてもよい。
【００９７】
実施例７：コーディングバイナリツリーの左のハーフブランチまたは右のハーフブランチ（ａ）は、ＲＩ＝１の場合とＲＩ＝２の場合に、ＲＩとＷ１とのジョイントコーディング状態を示す。また、残りのハーフブランチ（ｂ）の左のハーフブランチまたは右のハーフブランチ（ｂ１）のすべてのリーフは、ＲＩ＝３の場合とＲＩ＝４の場合に、ＲＩ単独コーディング状態を示す。また、ハーフブランチ（ｂ）の残りのハーフブランチ（ｂ２）は、保留して他の用途に使ってもよい。図１３は、本実施例を示す図である。コーディングバイナリツリーの左のハーフブランチ（状態００ｘｘｘ、状態０１ｘｘｘ）は、ＲＩ＝１の場合とＲＩ＝２の場合に、ＲＩとＷ１とのジョイントコーディング状態を示す。ここで、Ｗ１は３ビットでコーディングされているものとする。そして、右のハーフブランチの左のハーフブランチ（状態１００、状態１０１）は、ＲＩ＝３の場合とＲＩ＝４の場合に、ＲＩ単独コーディング状態を示す。また、右のハーフブランチの右のハーフブランチ（状態１１０、状態１１１）は、保留して他の用途に使ってもよい。
【００９８】
本実施例では、不等長コーディング（コード長は５ビット、または３ビット）が使われる。しかしながら、本発明は、それに限定されず、等長コーディング（コード長は５ビット）を使ってもよい。その場合には、右のハーフブランチの最後の２ビットは、その他の情報を示すために使われてもよい。
【００９９】
実施例８：コーディングバイナリツリーの左のハーフブランチまたは右のハーフブランチ（ａ）は、ＲＩ＝１の場合とＲＩ＝２の場合に、ＲＩとＷ１とのジョイントコーディング状態を示す。また、残りのハーフブランチ（ｂ）は、ＲＩ＝３の場合とＲＩ＝４の場合に、ＲＩ単独コーディング状態を示す。図１４は、本実施例を示す図である。コーディングバイナリツリーの左のハーフブランチ（状態００ｘｘｘ、状態０１ｘｘｘ）は、ＲＩ＝１の場合とＲＩ＝２の場合に、ＲＩとＷ１とのジョイントコーディング状態を示す。ここで、Ｗ１は３ビットでコーディングされているものとする。そして、右のハーフブランチ（状態１０、状態１１）は、ＲＩ＝３の場合とＲＩ＝４の場合に、ＲＩ単独コーディング状態を示す。
【０１００】
本実施例では、不等長コーディング（コード長は５ビット、または２ビット）が使われる。しかしながら、本発明は、それに限定されず、等長コーディング（コード長は５ビット）を使ってもよい。その場合には、右のハーフブランチの最後の３ビットは、その他の情報を示すために使われてもよい。
【０１０１】
実施例９：コーディングバイナリツリーの左のハーフブランチまたは右のハーフブランチ（ａ）は、ＲＩ＝１の場合とＲＩ＝２の場合に、ＲＩとＷ１とのジョイントコーディング状態を示す。また、残りのハーフブランチ（ｂ）の左のハーフブランチまたは右のハーフブランチ（ｂ１）は、ＲＩ＝３の場合とＲＩ＝４の場合に、ＲＩとＷ１とのジョイントコーディング状態を示す。また、ハーフブランチ（ｂ）の残りのハーフブランチ（ｂ２）は、保留して他の用途に使ってもよい。図１５は、本実施例を示す図である。コーディングバイナリツリーの左のハーフブランチ（状態００ｘｘｘ、状態０１ｘｘｘ）は、ＲＩ＝１の場合とＲＩ＝２の場合に、ＲＩとＷ１とのジョイントコーディング状態を示す。ここで、Ｗ１は３ビットでコーディングされているものとする。そして、右のハーフブランチの左のハーフブランチ（状態１００ｘｘ、状態１０１ｘｘ）は、ＲＩ＝３の場合とＲＩ＝４の場合に、ＲＩとＷ１とのジョイントコーディング状態を示す。ここで、Ｗ１は２ビットでコーディングされているものとする。また、右のハーフブランチの右のハーフブランチ（状態１１０００、状態１１００１、状態１１０１０、状態１１０１１、状態１１１００、状態１１１０１、状態１１１１０、および、状態１１１１１）は、保留して他の用途に使ってもよい。
【０１０２】
実施例１０：コーディングバイナリツリーの左のハーフブランチまたは右のハーフブランチ（ａ）は、ＲＩ＝１の場合とＲＩ＝２の場合に、ＲＩとＷ１とのジョイントコーディング状態を示す。また、残りのハーフブランチ（ｂ）は、ＲＩ＝３の場合とＲＩ＝４の場合に、ＲＩとＷ１とのジョイントコーディング状態を示す。図１６は、本実施例を示す図である。コーディングバイナリツリーの左のハーフブランチ（状態００ｘｘｘ、状態０１ｘｘｘ）は、ＲＩ＝１の場合とＲＩ＝２の場合に、ＲＩとＷ１とのジョイントコーディング状態を示す。ここで、Ｗ１は３ビットでコーディングされているものとする。そして、右のハーフブランチ（状態１０ｘｘ、状態１１ｘｘ）は、ＲＩ＝３の場合とＲＩ＝４の場合に、ＲＩとＷ１とのジョイントコーディング状態を示す。ここで、Ｗ１は２ビットでコーディングされているものとする。
【０１０３】
本実施例では、不等長コーディング（コード長は５ビット、または４ビット）が使われる。しかしながら、本発明は、それに限定されず、等長コーディング（コード長は５ビット）を使ってもよい。その場合には、右のハーフブランチの最後の１ビットは、その他の情報を示すために使われてもよい。
【０１０４】
なお、実施例１〜実施例１０に記載の状態コードワードおよびＷ１のコーディングビットなどの数値は、本発明を説明するために例示したものである。当業者は、上記実施形態および実施例を読むことによって、その他の数値条件でのＲＩとＷ１とのジョイントコーディング方法を容易に成し得ることができるであろう。
【０１０５】
また、ＲＩとＷ１とのジョイントコーディングの条件を満たすためには、ＲＩとＷ１とをジョイントコーディングする前に、Ｗ１およびＷ２のコードブックをダウンサンプリングしてもよい。
【０１０６】
例示のために、以下の説明において、ＡＬＣＡＴＥＬ−ＬＵＣＥＮＴなどによって提案された方針（２）に基づいて、Ｗ１およびＷ２のコードブック設計を用いて、本発明を説明する。なお、本発明は、ＡＬＣＡＴＥＬ−ＬＵＣＥＮＴなどによって提案された方針（２）を適用することに限定されず、その他のコードブックの設計方針を適用してもよい。ＡＬＣＡＴＥＬ−ＬＵＣＥＮＴなどによって提案された方針（２）のコードブック設計方針は、以下のとおりである。
【０１０７】
ＲＩ＝１の場合、Ｗ１のコードブックには、以下のように、１６のコードワードがある。
【０１０８】
【数１】
0005451906.tif 000002
【０１０９】
Ｗ２のコードブックには、以下のように、１６のコードワードがあり、４つのコードワード形式に分けられる。
【０１１０】
【数２】
0005451906.tif 000003
【０１１１】
ここで、各コードワード形式には、以下のように、４つのコードワード値がある。
【０１１２】
【数３】
0005451906.tif 000004
【０１１３】
ＲＩ＝２の場合、Ｗ１のコードブックには、以下のように、１６のコードワードがある。
【０１１４】
【数４】
0005451906.tif 000005
【０１１５】
Ｗ２のコードブックには、以下のように、１６のコードワードがあり、２つのコードワード形式に分けられる。
【０１１６】
【数５】
0005451906.tif 000006
【０１１７】
ここで、各コードワード形式には、以下のように、８つのコードワード値がある。
【０１１８】
【数６】
0005451906.tif 000007
【０１１９】
ＲＩ＝３の場合、Ｗ１のコードブックには、以下のように、４つのコードワードがある。
【０１２０】
【数７】
0005451906.tif 000008
【０１２１】
Ｗ２のコードブックには、以下のように、１６のコードワードがあり、１つのコードワード形式がある。
【０１２２】
【数８】
0005451906.tif 000009
【０１２３】
ここで、各コードワード形式には、以下のように、１６のコードワード値がある。
【０１２４】
【数９】
0005451906.tif 000010
【０１２５】
ＲＩ＝４の場合、Ｗ１のコードブックには、以下のように、４つのコードワードがある。
【０１２６】
【数１０】
0005451906.tif 000011
【０１２７】
Ｗ２のコードブックには、以下のように、８つのコードワードがあり、２つのコードワード形式に分けられる。
【０１２８】
【数１１】
0005451906.tif 000012
【０１２９】
ここで、各コードワード形式には、以下のように、４つのコードワード値がある。
【０１３０】
【数１２】
0005451906.tif 000013
【０１３１】
ＲＩ＝５の場合、Ｗ１のコードブックには、以下のように、４つのコードワードがある。
【０１３２】
【数１３】
0005451906.tif 000014
【０１３３】
ここで、
【０１３４】
【数１４】
0005451906.tif 000015
【０１３５】
一方、Ｗ２のコードブックには、以下のように、１つのコードワードがある。
【０１３６】
【数１５】
0005451906.tif 000016
【０１３７】
ＲＩ＝６の場合、Ｗ１のコードブックには、以下のように、４つのコードワードがある。
【０１３８】
【数１６】
0005451906.tif 000017
【０１３９】
ここで、
【０１４０】
【数１７】
0005451906.tif 000018
【０１４１】
一方、Ｗ２のコードブックには、以下のように、１つのコードワードがある。
【０１４２】
【数１８】
0005451906.tif 000019
【０１４３】
ＲＩ＝７の場合、Ｗ１のコードブックには、以下のように、４つのコードワードがある。
【０１４４】
【数１９】
0005451906.tif 000020
【０１４５】
ここで、
【０１４６】
【数２０】
0005451906.tif 000021
【０１４７】
一方、Ｗ２のコードブックには、以下のように、１つのコードワードがある。
【０１４８】
【数２１】
0005451906.tif 000022
【０１４９】
ＲＩ＝８の場合、Ｗ１のコードブックには、以下のように、１つのコードワードがある。
【０１５０】
【数２２】
0005451906.tif 000023
【０１５１】
ここで、
【０１５２】
【数２３】
0005451906.tif 000024
【０１５３】
一方、Ｗ２のコードブックには、以下のように、１つのコードワードがある。
【０１５４】
【数２４】
0005451906.tif 000025
【０１５５】
実施例１１：Ｗ１およびＷ２のコードブックに対して、同じダウンサンプリングレートでダウンサンプリングする。本実施例では、ＡＬＣＡＴＥＬ−ＬＵＣＥＮＴなどによって提案された方針（２）に記載のＲＩ＝１のコードブックに従って、Ｗ１のコードブックには１６のコードワードがあり、Ｗ２のコードブックには１６のコードワードがある。Ｗ１およびＷ２両方のコードブックのダウンサンプリングレートを１／２とし、すなわち、Ｗ１のコードブックから８つのコードワードを選択し、Ｗ２のコードブックから８つのコードワードを選択する。これによって、Ｗ１およびＷ２のダウンサンプリングされたコードブックを構成する。Ｗ１およびＷ２両方の組み合わせたコードワードは、合計で６４個である。
【０１５６】
実施例１２：Ｗ２に対して、より低いダウンサンプリングレートでダウンサンプリングする。また、Ｗ１に対して、より高いダウンサンプリングレートでダウンダンプリングする。本実施例では、ＡＬＣＡＴＥＬ−ＬＵＣＥＮＴなどによって提案された方針（２）に記載のＲＩ＝２のコードブックに従って、Ｗ１のコードブックには１６のコードワードがあり、Ｗ２のコードブックには１６のコードワードがある。Ｗ１のコードブックのダウンサンプリングレートを１／２とし、すなわち、Ｗ１のコードブックから８つのコードワードを選択する。一方、Ｗ２のコードブックのダウンサンプリングレートを１／４とし、すなわち、Ｗ２のコードブックから４つのコードワードを選択する。これによって、Ｗ１およびＷ２のダウンサンプリングされたコードブックを構成する。また、Ｗ１およびＷ２両方の組み合わせたコードワードは、合計で３２個である。
【０１５７】
実施例１３：Ｗ１に対して、より低いダウンサンプリングレートでダウンサンプリングする。また、Ｗ２に対して、より高いダウンサンプリングレートでダウンダンプリングする。本実施例では、ＡＬＣＡＴＥＬ−ＬＵＣＥＮＴなどによって提案された方針（２）に記載のＲＩ＝２のコードブックに従って、Ｗ１のコードブックには１６のコードワードがあり、Ｗ２のコードブックには、１６のコードワードがある。Ｗ１のコードブックのダウンサンプリングレートを１／４とし、すなわち、Ｗ１のコードブックから４つのコードワードを選択する。一方、Ｗ２のコードブックのダウンサンプリングレートを１／２とし、すなわち、Ｗ２のコードブックから８つのコードワードを選択する。これによって、Ｗ１およびＷ２のダウンサンプリングされたコードブックを構成する。また、Ｗ１およびＷ２両方の組み合わせたコードワードは、合計で３２個である。
【０１５８】
実施例１４：Ｗ２のみに対して、ダウンサンプリングをし、Ｗ１については、ダウンサンプリングをしない。本実施例では、ＡＬＣＡＴＥＬ−ＬＵＣＥＮＴなどによって提案された方針（２）に記載のＲＩ＝４のコードブックに従って、Ｗ１のコードブックには４つのコードワードがあり、Ｗ２のコードブックには８つのコードワードがある。Ｗ１については、ダウンサンプリングせず、すなわち、Ｗ１のコードブックにある４つのコードワードをすべて選択する。一方、Ｗ２のコードブックのダウンサンプリングレートを１／２とし、すなわち、Ｗ２のコードブックから４つのコードワードを選択する。これよって、Ｗ１およびＷ２のダウンサンプリングされたコードブックを構成する。また、Ｗ１およびＷ２両方の組み合わせたコードワードは、合計で１６個である。
【０１５９】
実施例１５：Ｗ１のみに対して、ダウンサンプリングをし、Ｗ２については、ダウンサンプリングをしない。本実施例では、ＡＬＣＡＴＥＬ−ＬＵＣＥＮＴなどによって提案された方針（２）に記載のＲＩ＝４のコードブックに従って、Ｗ１のコードブックには４つのコードワードがあり、Ｗ２のコードブックには８つのコードワードがある。Ｗ２については、ダウンサンプリングせず、すなわち、Ｗ２のコードブックにある８つのコードワードをすべて選択する。一方、Ｗ１のコードブックのダウンサンプリングレートを１／２とし、すなわち、Ｗ１のコードブックから２つのコードワードを選択する。これよって、Ｗ１およびＷ２のダウンサンプリングされたコードブックを構成する。また、Ｗ１およびＷ２両方の組み合わせたコードワードは、合計で１６個である。
【０１６０】
実施例１６：ＲＩ＝１の場合、Ｗ２のみに対して、ダウンサンプリングをし、Ｗ１については、ダウンサンプリングをしない。本実施例では、ＡＬＣＡＴＥＬ−ＬＵＣＥＮＴなどによって提案された方針（２）に記載のＲＩ＝１のコードブックに従って、Ｗ１のコードブックには１６のコードワードがあり、Ｗ２のコードブックには１６のコードワードがある。そして、Ｗ２のみに対して、ダウンサンプリングをし、Ｗ１についてダウンサンプリングをしない。例えば、Ｗ２のコードブックのダウンサンプリングレートを１／２とし、すなわち、Ｗ２のダウンサンプリングされたコードブックとして、Ｗ２のコードブックから８つのコードワードを選択する。
【０１６１】
実施例１７：ＲＩ＝１の場合、Ｗ１のみに対して、ダウンサンプリングをし、Ｗ２については、ダウンサンプリングをしない。本実施例では、ＡＬＣＡＴＥＬ−ＬＵＣＥＮＴなどによって提案された方針（２）に記載のＲＩ＝１のコードブックに従って、Ｗ１のコードブックには１６のコードワードがあり、Ｗ２のコードブックには１６のコードワードがある。そして、Ｗ１のみに対して、ダウンサンプリングをし、Ｗ２についてダウンサンプリングをしない。例えば、Ｗ１のコードブックのダウンサンプリングレートを１／２とし、すなわち、Ｗ１のダウンサンプリングされたコードブックとして、Ｗ１のコードブックから８つのコードワードを選択する。
【０１６２】
実施例１１〜実施例１７では、Ｗ１およびＷ２に対して、ダウンサンプリングするか否か、および、Ｗ１およびＷ２のダウンサンプリングレートをどのように選択するかについて説明した。Ｗ１および／またはＷ２については、ダウンサンプリングが必要になった場合、以下の実施例１８〜実施例２３に示すように、コードブックをダウンサンプリングしてもよい。
【０１６３】
実施例１８：コードブック中のコードワードの属性（すなわち、コードワードが示す物理量）は、同じまたは類似する場合には、コードブックに対して均一的にダウンサンプリングをしてもよい。本実施例では、ＡＬＣＡＴＥＬ−ＬＵＣＥＮＴなどによって提案された方針（２）に記載のＲＩ＝２のコードブックに従って、Ｗ１のコードブックには１６のコードワードがあり、コードワードの属性が同じ（いずれもチャネル空間方向を示す）である。よって、コードブックに対して均一的にダウンサンプリングしてもよい。具体的には、コードブックに対して均一的にダウンサンプリングするとは、等間隔なシリアル番号に対応するコードワードを、ダウンサンプリングされたコードブックとして選択することである。本実施例では、Ｗ１のコードブックのダウンサンプリングレートを１／４とする場合には、可能な均一的にダウンサンプリングする方法は、０、４、８、１２番で示されるＷ１のコードワードを選択することができる。
【０１６４】
実施例１９：コードブック中のコードワードが、形式および値によって分類された場合には、形式に対してのみダウンサンプリングを行い、可能な値をすべて保持する。本実施例では、ＡＬＣＡＴＥＬ−ＬＵＣＥＮＴなどによって提案された方針（２）に記載のＲＩ＝１のコードブックに従って、Ｗ２のコードブックには、１６のコードワードがあり、それらのコードワードが４つのコードワード形式に分けられる。各コードワード形式には、それぞれ４つの値がある。Ｗ２のコードブックのダウンサンプリングレートを、１／２とする場合には、形式に対してのみダウンサンプリングを行う。例えば、第１および第３の形式を選択し、第１および第３の形式のそれぞれにある可能な４つの値をすべて選択することができる。
【０１６５】
実施例２０：コードブック中のコードワードが、形式および値によって分類された場合には、値に対してのみダウンサンプリングを行い、可能な形式をすべて保持する。本実施例では、ＡＬＣＡＴＥＬ−ＬＵＣＥＮＴなどによって提案された方針（２）に記載のＲＩ＝２のコードブックに従って、Ｗ２のコードブックには１６のコードワードがあり、それらのコードワードが２つのコードワード形式に分けられる。各コードワード形式には、それぞれ８つの値がある。Ｗ２のコードブックのダウンサンプリングレートを１／２とする場合には、値に対してのみダウンサンプリングを行う。例えば、第１、第３、第５、第７の値を選択し、可能な２つの形式をすべて選択することができる。
【０１６６】
実施例２１：コードブック中のコードワードが、形式および値によって分類された場合には、形式に対してより高いダウンサンプリングレートでダウンサンプリングを行い、値に対してより低いダウンサンプリングレートでダウンサンプリングを行う。本実施例では、ＡＬＣＡＴＥＬ−ＬＵＣＥＮＴなどによって提案された方針（２）に記載のＲＩ＝１のコードブックに従って、Ｗ２のコードブックには、１６のコードワードがあり、それらのコードワードが４つのコードワード形式に分けられる。各コードワード形式には、それぞれ４つの値がある。Ｗ２のコードブックのダウンサンプリングレートを、１／８とする場合には、形式に対してより高いダウンサンプリングレートでダウンサンプリングを行い、値に対してより低いダウンダンプリングレートでダウンダンプリングを行う。例えば、形式に対するダウンサンプリングレートを１／２（例えば、第１および第３の形式を選択する）とし、値に対するダウンサンプリングレートを１／４（例えば、第１の値を選択する）とする。
【０１６７】
実施例２２：コードブック中のコードワードが、形式および値によって分類された場合には、値に対してより高いダウンサンプリングレートでダウンサンプリングを行い、形式に対してより低いダウンサンプリングレートでダウンサンプリングを行う。本実施例では、ＡＬＣＡＴＥＬ−ＬＵＣＥＮＴなどによって提案された方針（２）に記載のＲＩ＝１のコードブックに従って、Ｗ２のコードブックには１６のコードワードがあり、それらのコードワードが４つのコードワード形式に分けられる。各コードワード形式には、それぞれ４つの値がある。Ｗ２のコードブックのダウンサンプリングレートを、１／８とする場合には、値に対してより高いダウンサンプリングレートでダウンサンプリングを行い、形式に対してより低いダウンダンプリングレートでダウンダンプリングを行う。例えば、値に対するダウンサンプリングレートを１／２（例えば、第１および第３の値を選択する）とし、形式に対するダウンサンプリングレートを１／４（例えば、第１の形式を選択する）とする。
【０１６８】
実施例２３：コードブック中のコードワードが、形式および値によって分類された場合には、形式および値に対して同じダウンサンプリングレートでダウンサンプリングを行う。本実施例では、ＡＬＣＡＴＥＬ−ＬＵＣＥＮＴなどによって提案された方針（２）に記載のＲＩ＝２のコードブックに従って、Ｗ２のコードブックには１６のコードワードがあり、それらのコードワードが２つのコードワード形式に分けられる。各コードワード形式には、それぞれ８つの値がある。Ｗ２のコードブックのダウンサンプリングレートを、１／４とする場合には、形式および値に対して同じダウンサンプリングレートでダウンサンプリングを行う。例えば、形式に対するダウンサンプリングレートを１／２（例えば、第１の形式を選択する）とし、値に対するダウンサンプリングレートを１／２（例えば、第１、第３、第５、第７の値を選択する）とする。
【０１６９】
本発明に係る、バイナリツリーに基づくＲＩとＷ１とのジョイントコーディング方法およびコーダは、ＰＵＣＣＨにおける各種のＭＩＭＯ伝送方式（すなわち、ＭＩＭＯ伝送方式（１）〜（８））に適用できる。以下では、伝送方式（３）、（６）、（８）を例として、本発明に係るジョイントコーディング方法およびコーダの応用について詳細に説明する。
【０１７０】
実施例２４：ＭＩＭＯ伝送方式（３）、すなわち、開ループ空間分割多重化については、ＵＥは、ＲＩとＷ１とのジョイントコーディングの結果のみをフィードバックすればよく、Ｗ２をフィードバックする必要がない。ＢＳがＷ２を選択する際、Ｗ２のコードブックから、固定されたルールに従って、または、ランダムに選択する。また、異なる時間領域リソースポイントにおけるＷ２は異なってもよい。本実施例について、図３を参照して説明する。Ｗ２のコードブックサイズを１６とする。すなわち、Ｗ２は、１６のコードワードから選択することができる。ＵＥ４１６は、ＲＩとＷ１とのジョイントコーディング結果を、サービングＢＳ２０２にフィードバックすることができる。Ｗ２については、ＢＳ２０２が、固定されたルール／パターンに従って、または、ランダムに、Ｗ２のコードブックから選択することができる。また、異なったＯＦＤＭシンボルにおけるＷ２は、異なってもよい。
【０１７１】
固定されたルールに従ってＷ２を選択する場合について、以下の例を参照して説明する。ＲＩ＝１の場合には、Ｗ２のコードブックには、１６のコードワードがあり、それらのコードワードが４つのコードワード形式に分けられる。すべてまたは一部のコードワード形式（例えば、第１、第３のコードワード形式）を、コードワード形式の順序付きのセットとして選択することができる。各コードワード形式は、それぞれ４つの値がある。すべてまたは一部の値（例えば、第１、第３の値）を、値の順序付きのセットとして選択することができる。そして、時間領域および／または周波数領域リソースの順序に従って、上記コードワード形式の順序付きのセットと上記値の順序付きのセットとからなる順序付きのコードワードを、逐次的に利用することができる。
【０１７２】
また、ランダムにＷ２を選択する場合について、以下の例を参照して説明する。ＲＩ＝１の場合には、Ｗ２のコードブックには、１６のコードワードがあり、それらのコードワードが４つのコードワード形式に分けられる。すべてまたは一部のコードワード形式（例えば、第１、第３のコードワード形式）を、コードワード形式のセットとして選択することができる。各コードワード形式は、それぞれ４つの値がある。すべてまたは一部の値（例えば、第１、第３の値）を、値のセットとして選択することができる。そして、時間領域および／または周波数領域のリソースにおいて、上記コードワード形式のセットと上記値のセットとからなるコードワードを、ランダムに利用することができる。
【０１７３】
実施例２５：ＭＩＭＯ伝送方式（３）、すなわち、開ループ空間分割多重化については、ＵＥは、ＲＩとＷ１とのジョイントコーディングの結果のみをフィードバックすればよく、Ｗ２をフィードバックする必要がない。ＢＳがＷ２を選択する際、Ｗ２のコードブックから、固定されたルールに従って、または、ランダムに選択する。また、異なる周波数領域リソースポイントにおけるＷ２は異なってもよい。本実施例について、図３を参照して説明する。Ｗ２のコードブックサイズを１６とする。すなわち、Ｗ２は、１６のコードワードから選択することができる。ＵＥ４１６は、ＲＩとＷ１とのジョイントコーディング結果を、サービングＢＳ２０２にフィードバックすることができる。Ｗ２については、ＢＳ２０２が、固定されたルール／パターンに従って、または、ランダムに、Ｗ２のコードブックから選択することができる。また、異なったサブキャリアにおけるＷ２は、異なってもよい。
【０１７４】
固定されたルールに従ってＷ２を選択する場合について、以下の例を参照して説明する。ＲＩ＝１の場合には、Ｗ２のコードブックには、１６のコードワードがあり、それらのコードワードが４つのコードワード形式に分けられる。すべてまたは一部のコードワード形式（例えば、第１、第３のコードワード形式）を、コードワード形式の順序付きのセットとして選択することができる。各コードワード形式は、それぞれ４つの値がある。すべてまたは一部の値（例えば、第１、第３の値）を、値の順序付きのセットとして選択することができる。そして、時間領域および／または周波数領域リソースの順序に従って、上記コードワード形式の順序付きのセットと上記値の順序付きのセットとからなる順序付きのコードワードを、逐次的に利用することができる。
【０１７５】
また、ランダムにＷ２を選択する場合について、以下の例を参照して説明する。ＲＩ＝１の場合には、Ｗ２のコードブックには、１６のコードワードがあり、それらのコードワードが４つのコードワード形式に分けられる。すべてまたは一部のコードワード形式（例えば、第１、第３のコードワード形式）を、コードワード形式のセットとして選択することができる。各コードワード形式は、それぞれ４つの値がある。すべてまたは一部の値（例えば、第１、第３の値）を、値のセットとして選択することができる。そして、時間領域および／または周波数領域のリソースにおいて、上記コードワード形式のセットと上記値のセットとからなるコードワードを、ランダムに利用することができる。
【０１７６】
実施例２６：ＭＩＭＯ伝送方式（３）、すなわち、開ループ空間分割多重化については、ＵＥは、ＲＩとＷ１とのジョイントコーディングの結果のみをフィードバックすればよく、Ｗ２をフィードバックする必要がない。ＢＳがＷ２を選択する際、Ｗ２のコードブックから、固定されたルールに従って、または、ランダムに選択する。また、異なる時間領域および周波数領域リソースポイントにおけるＷ２は異なってもよい。本実施例について、図３を参照して説明する。Ｗ２のコードブックサイズを１６とする。すなわち、Ｗ２は、１６のコードワードから選択することができる。ＵＥ４１６は、ＲＩとＷ１とのジョイントコーディング結果を、サービングＢＳ２０２にフィードバックすることができる。Ｗ２については、ＢＳ２０２が、固定されたルール／パターンに従って、または、ランダムに、Ｗ２のコードブックから選択することができる。また、異なったＯＦＤＭシンボルおよびサブキャリアにおけるＷ２は、異なってもよい。
【０１７７】
固定されたルールに従ってＷ２を選択する場合について、以下の例を参照して説明する。ＲＩ＝１の場合には、Ｗ２のコードブックには、１６のコードワードがあり、それらのコードワードが４つのコードワード形式に分けられる。すべてまたは一部のコードワード形式（例えば、第１、第３のコードワード形式）を、コードワード形式の順序付きのセットとして選択することができる。各コードワード形式は、それぞれ４つの値がある。すべてまたは一部の値（例えば、第１、第３の値）を、値の順序付きのセットとして選択することができる。そして、時間領域および／または周波数領域リソースの順序に従って、上記コードワード形式の順序付きのセットと上記値の順序付きのセットとからなる順序付きのコードワードを、逐次的に利用することができる。
【０１７８】
また、ランダムにＷ２を選択する場合について、以下の例を参照して説明する。ＲＩ＝１の場合には、Ｗ２のコードブックには、１６のコードワードがあり、それらのコードワードが４つのコードワード形式に分けられる。すべてまたは一部のコードワード形式（例えば、第１、第３のコードワード形式）を、コードワード形式のセットとして選択することができる。各コードワード形式は、それぞれ４つの値がある。すべてまたは一部の値（例えば、第１、第３の値）を、値のセットとして選択することができる。そして、時間領域および／または周波数領域のリソースにおいて、上記コードワード形式のセットと上記値のセットとからなるコードワードを、ランダムに利用することができる。
【０１７９】
実施例２７：ＭＩＭＯ伝送方式（３）、すなわち、開ループ空間分割多重化については、ＵＥは、ＲＩの単独コーディングの結果のみをフィードバックすればよく、Ｗ１およびＷ２をフィードバックする必要がない。Ｗ１については、固定された値、または、ハイレイヤーシグナリングセミスタティック設定方法（high layer signaling semi-static configuration way）を用いることができる。ＢＳがＷ２を選択する際、Ｗ２のコードブックから、固定されたルールに従って、または、ランダムに選択する。また、異なる時間領域リソースポイントにおけるＷ２は異なってもよい。本実施例について、図３を参照して説明する。Ｗ２のコードブックサイズを１６とする。すなわち、Ｗ２は、１６のコードワードから選択することができる。ＵＥ４１６は、ＲＩの単独コーディング結果を、サービングＢＳ２０２にフィードバックすることができる。Ｗ１は、固定された値、または、ハイレイヤーシグナリングセミスタティック設定方法によって決定することができる。Ｗ２については、ＢＳ２０２が、固定されたルール／パターンに従って、または、ランダムに、Ｗ２のコードブックから選択することができる。また、異なったＯＦＤＭシンボルにおけるＷ２は、異なってもよい。
【０１８０】
固定されたルールに従ってＷ２を選択する場合について、以下の例を参照して説明する。ＲＩ＝１の場合には、Ｗ２のコードブックには、１６のコードワードがあり、それらのコードワードが４つのコードワード形式に分けられる。すべてまたは一部のコードワード形式（例えば、第１、第３のコードワード形式）を、コードワード形式の順序付きのセットとして選択することができる。各コードワード形式は、それぞれ４つの値がある。すべてまたは一部の値（例えば、第１、第３の値）を、値の順序付きのセットとして選択することができる。そして、時間領域および／または周波数領域リソースの順序に従って、上記コードワード形式の順序付きのセットと上記値の順序付きのセットとからなる順序付きのコードワードを、逐次的に利用することができる。
【０１８１】
また、ランダムにＷ２を選択する場合について、以下の例を参照して説明する。ＲＩ＝１の場合には、Ｗ２のコードブックには、１６のコードワードがあり、それらのコードワードが４つのコードワード形式に分けられる。すべてまたは一部のコードワード形式（例えば、第１、第３のコードワード形式）を、コードワード形式のセットとして選択することができる。各コードワード形式は、それぞれ４つの値がある。すべてまたは一部の値（例えば、第１、第３の値）を、値のセットとして選択することができる。そして、時間領域および／または周波数領域のリソースにおいて、上記コードワード形式のセットと上記値のセットとからなるコードワードを、ランダムに利用することができる。
【０１８２】
実施例２８：ＭＩＭＯ伝送方式（３）、すなわち、開ループ空間分割多重化については、ＵＥは、ＲＩの単独コーディングの結果のみをフィードバックすればよく、Ｗ１およびＷ２をフィードバックする必要がない。Ｗ１については、固定された値、または、ハイレイヤーシグナリングセミスタティック設定方法を用いることができる。ＢＳがＷ２を選択する際、Ｗ２のコードブックから、固定されたルールに従って、または、ランダムに選択することができる。また、異なる周波数領域リソースポイントにおけるＷ２は異なってもよい。本実施例について、図３を参照して説明する。Ｗ２のコードブックサイズを１６とする。すなわち、Ｗ２は、１６のコードワードから選択することができる。ＵＥ４１６は、ＲＩの単独コーディング結果を、サービングＢＳ２０２にフィードバックすることができる。Ｗ１は、固定された値、または、ハイレイヤーシグナリングセミスタティック設定方法によって決定することができる。Ｗ２については、ＢＳ２０２が、固定されたルール／パターンに従って、または、ランダムに、Ｗ２のコードブックから選択することができる。また、異なったサブキャリアにおけるＷ２は、異なってもよい。
【０１８３】
固定されたルールに従ってＷ２を選択する場合について、以下の例を参照して説明する。ＲＩ＝１の場合には、Ｗ２のコードブックには、１６のコードワードがあり、それらのコードワードが４つのコードワード形式に分けられる。すべてまたは一部のコードワード形式（例えば、第１、第３のコードワード形式）を、コードワード形式の順序付きのセットとして選択することができる。各コードワード形式は、それぞれ４つの値がある。すべてまたは一部の値（例えば、第１、第３の値）を、値の順序付きのセットとして選択することができる。そして、時間領域および／または周波数領域リソースの順序に従って、上記コードワード形式の順序付きのセットと上記値の順序付きのセットとからなる順序付きのコードワードを、逐次的に利用することができる。
【０１８４】
また、ランダムにＷ２を選択する場合について、以下の例を参照して説明する。ＲＩ＝１の場合には、Ｗ２のコードブックには、１６のコードワードがあり、それらのコードワードが４つのコードワード形式に分けられる。すべてまたは一部のコードワード形式（例えば、第１、第３のコードワード形式）を、コードワード形式のセットとして選択することができる。各コードワード形式は、それぞれ４つの値がある。すべてまたは一部の値（例えば、第１、第３の値）を、値のセットとして選択することができる。そして、時間領域および／または周波数領域のリソースにおいて、上記コードワード形式のセットと上記値のセットとからなるコードワードを、ランダムに利用することができる。
【０１８５】
実施例２９：ＭＩＭＯ伝送方式（３）、すなわち、開ループ空間分割多重化については、ＵＥは、ＲＩの単独コーディングの結果のみをフィードバックすればよく、Ｗ１およびＷ２をフィードバックする必要がない。Ｗ１については、固定された値、または、ハイレイヤーシグナリングセミスタティック設定方法を用いることができる。ＢＳがＷ２を選択する際、Ｗ２のコードブックから、固定されたルールに従って、または、ランダムに選択することができる。また、異なる時間領域および周波数領域リソースポイントにおけるＷ２は異なってもよい。本実施例について、図３を参照して説明する。Ｗ２のコードブックサイズを１６とする。すなわち、Ｗ２は、１６のコードワードから選択することができる。ＵＥ４１６は、ＲＩの単独コーディング結果を、サービングＢＳ２０２にフィードバックすることができる。Ｗ１は、固定された値、または、ハイレイヤーシグナリングセミスタティック設定方法によって決定することができる。Ｗ２については、ＢＳ２０２が、固定されたルール／パターンに従って、または、ランダムに、Ｗ２のコードブックから選択することができる。また、異なったＯＦＤＭシンボルおよびサブキャリアにおけるＷ２は、異なってもよい。
【０１８６】
固定されたルールに従ってＷ２を選択する場合について、以下の例を参照して説明する。ＲＩ＝１の場合には、Ｗ２のコードブックには、１６のコードワードがあり、それらのコードワードが４つのコードワード形式に分けられる。すべてまたは一部のコードワード形式（例えば、第１、第３のコードワード形式）を、コードワード形式の順序付きのセットとして選択することができる。各コードワード形式は、それぞれ４つの値がある。すべてまたは一部の値（例えば、第１、第３の値）を、値の順序付きのセットとして選択することができる。そして、時間領域および／または周波数領域リソースの順序に従って、上記コードワード形式の順序付きのセットと上記値の順序付きのセットとからなる順序付きのコードワードを、逐次的に利用することができる。
【０１８７】
また、ランダムにＷ２を選択する場合について、以下の例を参照して説明する。ＲＩ＝１の場合には、Ｗ２のコードブックには、１６のコードワードがあり、それらのコードワードが４つのコードワード形式に分けられる。すべてまたは一部のコードワード形式（例えば、第１、第３のコードワード形式）を、コードワード形式のセットとして選択することができる。各コードワード形式は、それぞれ４つの値がある。すべてまたは一部の値（例えば、第１、第３の値）を、値のセットとして選択することができる。そして、時間領域および／または周波数領域のリソースにおいて、上記コードワード形式のセットと上記値のセットとからなるコードワードを、ランダムに利用することができる。
【０１８８】
実施例３０：ＭＩＭＯ伝送方式（３）、すなわち、開ループ空間分割多重化については、ＵＥは、ＲＩの単独コーディングの結果のみをフィードバックすればよく、Ｗ１およびＷ２をフィードバックする必要がない。Ｗ２については、固定された値、または、ハイレイヤーシグナリングセミスタティック設定方法を用いることができる。ＢＳがＷ１を選択する際、Ｗ１のコードブックから、固定されたルールに従って、または、ランダムに選択することができる。また、異なる時間領域リソースポイントにおけるＷ１は異なってもよい。本実施例について、図３を参照して説明する。Ｗ１のコードブックサイズを８とする。すなわち、Ｗ１は、８つのコードワードから選択することができる。ＵＥ４１６は、ＲＩの単独コーディング結果を、サービングＢＳ２０２にフィードバックすることができる。Ｗ２は、固定された値、または、ハイレイヤーシグナリングセミスタティック設定方法によって決定することができる。Ｗ１については、ＢＳ２０２が、固定されたルール／パターンに従って、または、ランダムに、Ｗ１のコードブックから選択することができる。また、異なったＯＦＤＭシンボルにおけるＷ１は、異なってもよい。
【０１８９】
固定されたルールに従ってＷ１を選択する場合について、以下の例を参照して説明する。ＲＩ＝１の場合には、Ｗ１のコードブックには、１６の選択できるコードワードがある。すべてまたは一部のコードワード（例えば、第１、３、５、７、９、１１、１３、１５のコードワード）を、コードワードの順序付きのセットとして選択することができる。そして、時間領域および／または周波数領域リソースの順序に従って、上記順序付きのセット中のコードワードを、逐次的に利用することができる。
【０１９０】
また、ランダムにＷ１を選択する場合について、以下の例を参照して説明する。ＲＩ＝１の場合には、Ｗ１のコードブックには、１６の選択できるコードワードがある。すべてまたは一部のコードワード（例えば、第１、３、５、７、９、１１、１３、１５のコードワード）を、コードワードのセットとして選択することができる。そして、時間領域および／または周波数領域のリソースにおいて、上記セット中のコードワードを、ランダムに利用することができる。
【０１９１】
実施例３１：ＭＩＭＯ伝送方式（３）、すなわち、開ループ空間分割多重化については、ＵＥは、ＲＩの単独コーディングの結果のみをフィードバックすればよく、Ｗ１およびＷ２をフィードバックする必要がない。Ｗ２については、固定された値、または、ハイレイヤーシグナリングセミスタティック設定方法を用いることができる。ＢＳがＷ１を選択する際、Ｗ１のコードブックから、固定されたルールに従って、または、ランダムに選択することができる。また、異なる周波数領域リソースポイントにおけるＷ１は異なってもよい。本実施例について、図３を参照して説明する。Ｗ１のコードブックサイズを８とする。すなわち、Ｗ１は、８つのコードワードから選択することができる。ＵＥ４１６は、ＲＩの単独コーディング結果を、サービングＢＳ２０２にフィードバックすることができる。Ｗ２は、固定された値、または、ハイレイヤーシグナリングセミスタティック設定方法によって決定することができる。Ｗ１については、ＢＳ２０２が、固定されたルール／パターンに従って、または、ランダムに、Ｗ１のコードブックから選択することができる。また、異なったサブキャリアにおけるＷ１は、異なってもよい。
【０１９２】
固定されたルールに従ってＷ１を選択する場合について、以下の例を参照して説明する。ＲＩ＝１の場合には、Ｗ１のコードブックには、１６の選択できるコードワードがある。すべてまたは一部のコードワード（例えば、第１、３、５、７、９、１１、１３、１５のコードワード）を、コードワードの順序付きのセットとして選択することができる。そして、時間領域および／または周波数領域リソースの順序に従って、上記順序付きのセット中のコードワードを、逐次的に利用することができる。
【０１９３】
また、ランダムにＷ１を選択する場合について、以下の例を参照して説明する。ＲＩ＝１の場合には、Ｗ１のコードブックには、１６の選択できるコードワードがある。すべてまたは一部のコードワード（例えば、第１、３、５、７、９、１１、１３、１５のコードワード）を、コードワードのセットとして選択することができる。そして、時間領域および／または周波数領域のリソースにおいて、上記セット中のコードワードを、ランダムに利用することができる。
【０１９４】
実施例３２：ＭＩＭＯ伝送方式（３）、すなわち、開ループ空間分割多重化については、ＵＥは、ＲＩの単独コーディングの結果のみをフィードバックすればよく、Ｗ１およびＷ２をフィードバックする必要がない。Ｗ２については、固定された値、または、ハイレイヤーシグナリングセミスタティック設定方法を用いることができる。ＢＳがＷ１を選択する際、Ｗ１のコードブックから、固定されたルールに従って、または、ランダムに選択することができる。また、異なる時間領域および周波数領域リソースポイントにおけるＷ１は異なってもよい。本実施例について、図３を参照して説明する。Ｗ１のコードブックサイズを８とする。すなわち、Ｗ１は、８つのコードワードから選択することができる。ＵＥ４１６は、ＲＩの単独コーディング結果を、サービングＢＳ２０２にフィードバックすることができる。Ｗ２は、固定された値、または、ハイレイヤーシグナリングセミスタティック設定方法によって決定することができる。Ｗ１については、ＢＳ２０２が、固定されたルール／パターンに従って、または、ランダムに、Ｗ１のコードブックから選択することができる。また、異なったＯＦＤＭシンボルおよびサブキャリアにおけるＷ１は、異なってもよい。
【０１９５】
固定されたルールに従ってＷ１を選択する場合について、以下の例を参照して説明する。ＲＩ＝１の場合には、Ｗ１のコードブックには、１６の選択できるコードワードがある。すべてまたは一部のコードワード（例えば、第１、３、５、７、９、１１、１３、１５のコードワード）を、コードワードの順序付きのセットとして選択する。そして、時間領域および／または周波数領域リソースの順序に従って、上記順序付きのセット中のコードワードを、逐次的に利用することができる。
【０１９６】
また、ランダムにＷ１を選択する場合について、以下の例を参照して説明する。ＲＩ＝１の場合には、Ｗ１のコードブックには、１６の選択できるコードワードがある。すべてまたは一部のコードワード（例えば、第１、３、５、７、９、１１、１３、１５のコードワード）を、コードワードのセットとして選択することができる。そして、時間領域および／または周波数領域のリソースにおいて、上記セット中のコードワードを、ランダムに利用することができる。
【０１９７】
実施例３３：ＭＩＭＯ伝送方式（３）、すなわち、開ループ空間分割多重化については、ＵＥは、ＲＩの単独コーディングの結果のみをフィードバックすればよく、Ｗ１およびＷ２をフィードバックする必要がない。ＢＳがＷ１を選択する際、Ｗ１のコードブックから、固定されたルール／パターンに従って、または、ランダムに選択する。また、異なる時間領域および周波数領域リソースポイントにおけるＷ１は異なってもよい。ＢＳがＷ２を選択する際、Ｗ２のコードブックから、固定されたルール／パターンに従って、または、ランダムに選択する。また、異なる時間領域および周波数領域リソースポイントにおけるＷ２は異なってもよい。本実施例について、図３を参照して説明する。Ｗ１のコードブックサイズを８とする。すなわち、Ｗ１は、８つのコードワードから選択することができる。Ｗ２のコードブックサイズを１６とする。すなわち、Ｗ２は、１６のコードワードから選択することができる。ＵＥ４１６は、ＲＩの単独コーディング結果を、サービングＢＳ２０２にフィードバックすることができる。Ｗ１については、ＢＳ２０２が、固定されたルール／パターンに従って、または、ランダムに、Ｗ１のコードブックから選択することができる。また、異なったＯＦＤＭシンボルおよびサブキャリアにおけるＷ１は、異なってもよい。Ｗ２については、ＢＳ２０２が、固定されたルール／パターンに従って、または、ランダムに、Ｗ２のコードブックから選択することができる。また、異なったＯＦＤＭシンボルおよびサブキャリアにおけるＷ２は、異なってもよい。
【０１９８】
固定されたルールに従ってＷ１を選択する場合について、以下の例を参照して説明する。ＲＩ＝１の場合には、Ｗ１のコードブックには、１６の選択できるコードワードがある。すべてまたは一部のコードワード（例えば、第１、３、５、７、９、１１、１３、１５のコードワード）を、コードワードの順序付きのセットとして選択することができる。そして、時間領域および／または周波数領域リソースの順序に従って、上記順序付きのセット中のコードワードを、逐次的に利用することができる。
【０１９９】
また、ランダムにＷ１を選択する場合について、以下の例を参照して説明する。ＲＩ＝１の場合には、Ｗ１のコードブックには、１６の選択できるコードワードがある。すべてまたは一部のコードワード（例えば、第１、３、５、７、９、１１、１３、１５のコードワード）を、コードワードのセットとして選択することができる。そして、時間領域および／または周波数領域のリソースにおいて、上記セット中のコードワードを、ランダムに利用することができる。
【０２００】
実施例３４：ＭＩＭＯ伝送方式（３）、すなわち、開ループ空間分割多重化については、ＵＥは、ＲＩの単独コーディングの結果のみをフィードバックすればよく、Ｗ１およびＷ２をフィードバックする必要がない。ＢＳがＷ１を選択する際、Ｗ１のコードブックから、固定されたルール／パターンに従って、または、ランダムに選択する。また、異なる時間領域または周波数領域リソースポイントにおけるＷ１は異なってもよい。ＢＳがＷ２を選択する際、Ｗ２のコードブックから、固定されたルール／パターンに従って、または、ランダムに選択する。また、異なる時間領域または周波数領域リソースポイントにおけるＷ２は異なってもよい。本実施例について、図３を参照して説明する。Ｗ１のコードブックサイズを８とする。すなわち、Ｗ１は、８つのコードワードから選択することができる。Ｗ２のコードブックサイズを１６とする。すなわち、Ｗ２は、１６のコードワードから選択することができる。ＵＥ４１６は、ＲＩの単独コーディング結果を、サービングＢＳ２０２にフィードバックすることができる。Ｗ１については、ＢＳ２０２が、固定されたルール／パターンに従って、または、ランダムに、Ｗ１のコードブックから選択することができる。また、異なったＯＦＤＭシンボルまたはサブキャリアにおけるＷ１は、異なってもよい。Ｗ２については、ＢＳ２０２が、固定されたルール／パターンに従って、または、ランダムに、Ｗ２のコードブックから選択することができる。また、異なったＯＦＤＭシンボルまたはサブキャリアにおけるＷ２は、異なってもよい。
【０２０１】
固定されたルールに従ってＷ１を選択する場合について、以下の例を参照して説明する。ＲＩ＝１の場合には、Ｗ１のコードブックには、１６の選択できるコードワードがある。すべてまたは一部のコードワード（例えば、第１、３、５、７、９、１１、１３、１５のコードワード）を、コードワードの順序付きのセットとして選択することができる。そして、時間領域および／または周波数領域リソースの順序に従って、上記順序付きのセット中のコードワードを、逐次的に利用することができる。
【０２０２】
また、ランダムにＷ１を選択する場合について、以下の例を参照して説明する。ＲＩ＝１の場合には、Ｗ１のコードブックには、１６の選択できるコードワードがある。すべてまたは一部のコードワード（例えば、第１、３、５、７、９、１１、１３、１５のコードワード）を、コードワードのセットとして選択することができる。そして、時間領域および／または周波数領域のリソースにおいて、上記セット中のコードワードを、ランダムに利用することができる。
【０２０３】
固定されたルールに基づいてＷ２を選択する場合について、以下の例を参照して説明する。ＲＩ＝１の場合には、Ｗ２のコードブックには、１６のコードワードがあり、それらのコードワードが４つのコードワード形式に分けられる。すべてまたは一部のコードワード形式（例えば、第１、第３のコードワード形式）を、コードワード形式の順序付きのセットとして選択する。各コードワード形式は、それぞれ４つの値がある。すべてまたは一部の値（例えば、第１、第３の値）を、値の順序付きのセットとして選択することができる。そして、時間領域および／または周波数領域リソースの順序に従って、上記コードワード形式の順序付きのセットと上記値の順序付きのセットとからなる順序付きのコードワードを、逐次的に利用することができる。
【０２０４】
また、ランダムにＷ２を選択する場合について、以下の例を参照して説明する。ＲＩ＝１の場合には、Ｗ２のコードブックには、１６のコードワードがあり、それらのコードワードが４つのコードワード形式に分けられる。すべてまたは一部のコードワード形式（例えば、第１、第３のコードワード形式）を、コードワード形式のセットとして選択することができる。各コードワード形式は、それぞれ４つの値がある。すべてまたは一部の値（例えば、第１、第３の値）を、値のセットとして選択する。そして、時間領域および／または周波数領域のリソースにおいて、上記コードワード形式のセットと上記値のセットとからなるコードワードを、ランダムに利用することができる。
【０２０５】
上記実施例２４〜実施例３４において、ＭＩＭＯ伝送方式（３）（すなわち、開ループ空間分割多重化）が使われている。開ループ空間分割多重化は、一般的にＵＥの高速移動のシーンに使われるため、ＲＩの値が小さい。上記のようなシーンにおいて、ＲＩが５よりも小さいことに限定されてもよい。実施例７〜実施例１０は、その場合に好適である。もちろん、上記限定（ＲＩ＜５）は必須ではなく、ＲＩの値は限定されない。実施例１〜実施例６は、その場合に好適である。
【０２０６】
実施例３５：ＭＩＭＯ伝送方式（６）、すなわち、閉ループ一層プレコーディングについては、ＵＥは、Ｗ１の単独コーディングの結果をフィードバックし、また、Ｗ２およびＣＱＩを一緒にフィードバックする。本実施例において、図３を参照して、閉ループ一層プレコーディングを考える。ＲＩ＝１であるため、ＵＥ４１６は、Ｗ１の単独コーディングの結果（３ビットに設定）を、サービングＢＳ２０２にフィードバックする必要がある。また、ＵＥ４１６は、Ｗ２およびＣＱＩのジョイントコーディング結果を、サービングＢＳ２０２にフィードバックする必要がある。
【０２０７】
実施例３６：ＭＩＭＯ伝送方式（６）、すなわち、閉ループ一層プレコーディングについては、Ｗ１は、ハイレイヤーシグナリングによって、セミスタティックに設定されてもよい。また、Ｗ２およびＣＱＩは一緒にフィードバックされてもよい。本実施例において、図３を参照して、閉ループ一層プレコーディングを考える。ＲＩ＝１であるため、ＵＥ４１６は、ＲＩをサービングＢＳ２０２にフィードバックする必要がない。ＢＳ２０２は、ハイレイヤーシグナリングによって、セミスタティックで、ＵＥのＷ１を設定することができる。また、ＵＥ４１６は、Ｗ２およびＣＱＩのジョイントコーディング結果を、サービングＢＳ２０２にフィードバックする必要がある。
【０２０８】
実施例３７：ＭＩＭＯ伝送方式（６）、すなわち、閉ループ一層プレコーディングについては、Ｗ１、Ｗ２およびＣＱＩは一緒にフィードバックされてもよい。本実施例において、図３を参照して、閉ループ一層プレコーディングを考える。ＲＩ＝１であるため、ＵＥ４１６は、ＲＩをサービングＢＳ２０２にフィードバックする必要がない。しかしながら、ＵＥ４１６は、Ｗ１、Ｗ２およびＣＱＩのジョイントコーディング結果を、サービングＢＳ２０２にフィードバックする必要がある。
【０２０９】
実施例３８：ＭＩＭＯ伝送方式（８）、すなわち、２層ビームフォーミング伝送については、ＲＩは３よりも小さいことに限定され、１ビットで示される。本実施例において、２層ビームフォーミング伝送を考え、ＲＩは３よりも小さいことに限定される。よって、ＲＩは、１ビットで示されればよい。
【０２１０】
上記の説明において、複数の実施例を挙げた。発明者は、できるだけ互いに関連性のある実施例を示していたが、それらの実施例は、必ずしも上記のように対応しているとは限らない。選択された実施例における所定の条件には、矛盾がなければ、対応していない実施例を選択して、それに対応する技術手段を構成してもよく、そのような技術手段は本発明の範囲にあると理解すべきである。
【０２１１】
以上では、好ましい実施例に基づいて、本発明を説明した。当業者は、本発明の思想および範囲を超えず、その他の各種の変更、切り替え、追加を行ってもよい。よって、本発明の範囲は、上記所定の実施例に限定せず、添付されている特許請求の範囲によって限定されるべきである。
本発明は、以下のように表現できる。
上記ジョイントコーディング方法は、上記コーディングバイナリツリーの第２のハーフブランチの第１のハーフブランチのすべてを使って、ＲＩが３の場合とＲＩが４の場合に、ＲＩの単独コーディング状態を示すことが好ましい。
上記ジョイントコーディング方法は、上記コーディングバイナリツリーの第２のハーフブランチのすべてまたは一部を使って、ＲＩが３の場合とＲＩが４の場合に、ＲＩとＷ１とのジョイントコーディング状態を示すことが好ましい。
上記ジョイントコーディング方法は、上記コーディングバイナリツリーの第２のハーフブランチの第１のハーフブランチのすべてを使って、ＲＩが３の場合とＲＩが４の場合に、ＲＩとＷ１とのジョイントコーディング状態を示すことが好ましい。
上記ジョイントコーディング方法は、上記コーディングバイナリツリーの第２のハーフブランチの第２のハーフブランチのすべてまたは一部を使って、ＲＩが４よりも大きい場合のＲＩの単独コーディング、および／または、ＲＩとＷ１とのジョイントコーディング状態を示すことが好ましい。
上記ジョイントコーディング方法は、上記コーディングバイナリツリーの第２のハーフブランチのすべてを使って、ＲＩが３の場合とＲＩが４の場合に、ＲＩの単独コーディング状態を示すことが好ましい。
上記ジョイントコーディング方法は、コードブック中のコードワードが、形式および値によって分類される場合に、（１）形式に対してのみダウンサンプリングを行い、可能な値をすべて保持し、または、（２）値に対してのみダウンサンプリングを行い、可能な形式をすべて保持することが好ましい。
上記ジョイントコーディング方法は、コードブック中のコードワードが、形式および値によって分類される場合に、第３のダウンサンプリングレートで、形式に対してダウンサンプリングを行い、第４のダウンサンプリングレートで、値に対してダウンサンプリングを行うことが好ましい。
上記ジョイントコーディング方法は、上記第３のダウンサンプリングレートは、上記第４のダウンサンプリングレートと等しい、または、上記第３のダウンサンプリングレートは、上記第４のダウンサンプリングレートよりも大きい、または、上記第３のダウンサンプリングレートは、上記第４のダウンサンプリングレートよりも小さいことが好ましい。
上記ジョイントコーディング方法は、ＲＩが１であれば、Ｗ１およびＷ２のコードブックのいずれか１つのみに対してダウンサンプリングを行うことが好ましい。
上記ジョイントコーディング方法は、ＭＩＭＯ開ループ空間分割多重化について、ＲＩが５以下に限定されることが好ましい。
上記ジョイントコーディング方法は、ＭＩＭＯ開ループ空間分割多重化について、ＲＩとＷ１とをジョイントコーディングすることが好ましい。
上記ジョイントコーディング方法は、ＭＩＭＯ開ループ空間分割多重化について、ＲＩを単独コーディングすることが好ましい。
上記ジョイントコーディング方法は、ＭＩＭＯ閉ループ一層プレコーディングについて、Ｗ１を単独コーディングすることが好ましい。
上記ジョイントコーディング方法は、ＭＩＭＯ２層ビームフォーミング伝送について、ＲＩは３以下に限定されることが好ましい。
上記ジョイントコーディング方法は、ＭＩＭＯ開ループ空間分割多重化について、ＲＩとＷ１とのジョイントコーディングのみをフィードバックし、狭帯域／短区間チャネル特性を示すＷ２をフィードバックしないことが好ましい。
上記ジョイントコーディング方法は、ＭＩＭＯ開ループ空間分割多重化について、ＲＩの単独コーディングのみをフィードバックし、Ｗ１および狭帯域／短区間チャネル特性を示すＷ２をフィードバックしないことが好ましい。
上記ジョイントコーディング方法は、固定されたルール／パターンに従って、または、ランダムに、Ｗ２のコードブックからＷ２を選択することが好ましい。
上記ジョイントコーディング方法は、固定されたルール／パターンに従って、または、ランダムに、Ｗ１のコードブックからＷ１を選択することが好ましい。
上記ジョイントコーディング方法は、異なる時間領域リソースポイントおよび／または異なる周波数領域リソースポイントにおけるＷ２は、同じまたは異なることが好ましい。
上記ジョイントコーディング方法は、異なる時間領域リソースポイントおよび／または異なる周波数領域リソースポイントにおけるＷ１および／またはＷ２は、同じまたは異なることが好ましい。
【図１】
0005451906.tif 000026
【図２】
0005451906.tif 000027
【図３】
0005451906.tif 000028
【図４】
0005451906.tif 000029
【図５】
0005451906.tif 000030
【図６】
0005451906.tif 000031
【図７】
0005451906.tif 000032
【図８】
0005451906.tif 000033
【図９】
0005451906.tif 000034
【図１０】
0005451906.tif 000035
【図１１】
0005451906.tif 000036
【図１２】
0005451906.tif 000037
【図１３】
0005451906.tif 000038
【図１４】
0005451906.tif 000039
【図１５】
0005451906.tif 000040
【図１６】
0005451906.tif 000041